(57)【要約】【課題】  利便性及び運転支援性能の向上を図ることが可能な運転支援装置を提供する。【解決手段】  運転支援装置１は、右折猶予時間推定部２０により自車両が右折可能となるまでの右折猶予時間を推定する。また、運転支援装置１は、右折可否判断部１５、右折意思検出部１６、自車状態検出部１７からの信号によって、運転者が交差点を右折しようとしていると判断できる場合に、右折猶予時間の情報を運転者に提示することとしている。このため、運転者は、右折可能となるまでの時間中、例えばナビの目的地設定など、他の行動を行ったり、目的地設定のために現在位置を確認するなど、他の行動のために注意を払ったりすることができる。また、運転者は、右折行動の開始が可能となった時点が容易にわかるため、素早く右折行動を行うことができる。従って、利便性及び運転支援性能の向上を図ることができる。【選択図】      図１
2006106955.tif 000002
【特許請求の範囲】
【請求項１】
走行中の自車位置を検出する位置検出手段と、
前記位置検出手段にて検出された自車位置に基づいて、自車両が交差点に接近中であることを検出する交差点接近検出手段と、
前記交差点接近検出手段にて接近中であることが検出された交差点への自車両の進入方向、及び自車両が進入する交差点の特性に基づいて、交差点が右折できるものであるか否かを判断する右折可否判断手段と、
運転者の右折意思を検出する右折意思検出手段と、
自車両が停止中であるか否かを検出する自車状態検出手段と、
対向車の走行状態を検出する対向車走行状態検出手段と、
前記対向車走行状態検出手段により検出された対向車の走行状態によって自車両が右折可能となるまでの右折猶予時間を推定する右折猶予時間推定手段と、
前記右折可否判断手段により交差点が右折できるものであると判断され、前記右折意思検出手段により運転者の右折意思が検出され、前記自車状態検出手段により自車両が停止中であると検出された場合に、前記右折猶予時間推定手段により推定された右折猶予時間の情報を運転者に提示する提示手段と、
を備えることを特徴とする運転支援装置。
【請求項２】
複数の交差点の特性を記憶する交差点特性記憶手段と、
前記交差点特性記憶手段に記憶された複数の交差点のうち、前記交差点接近検出手段にて接近中であることが検出された交差点の特性を読み出す読出手段と、
前記読出手段により読み出された交差点への自車両の進入方向を検出する進入方向検出手段と、をさらに備え、
前記右折可否判断手段は、前記進入方向検出手段により検出された進入方向と、前記読出手段により読み出された交差点の特性とに基づいて、当該交差点を右折できるものであるか否かを判断する
ことを特徴とする請求項１に記載の運転支援装置。
【請求項３】
前記交差点特性記憶手段は、複数の交差点の特性として、複数の交差点それぞれの形状を記憶し、
前記読出手段は、前記交差点特性記憶手段に記憶された複数の交差点のうち、前記交差点接近検出手段にて接近中であることが検出された交差点の形状を読み出す
ことを特徴とする請求項２に記載の運転支援装置。
【請求項４】
前記提示手段は、各々の交差点ごとに、過去に自車両が右折するときに要した所要時間を記憶し、記憶した所要時間中に対向車が走行すると予測される距離を閾値として設定し、自車両が交差点を右折する場合には、自車両と対向車との距離がその交差点での閾値よりも小さい場合に、前記右折猶予時間推定手段により推定された右折猶予時間を運転者に提示することを特徴とする請求項１〜請求項３のいずれか１項に記載の運転支援装置。
【請求項５】
前記対向車走行状態検出手段は、対向車の走行状態として、対向車の存在、対向車の運転者のによる運転操作、並びに対向車の位置及び速度を検出することを特徴とする請求項１〜請求項４のいずれか１項に記載の運転支援装置。
【請求項６】
前記右折猶予時間推定手段は、前記対向車走行状態検出手段により存在が検出された対向車が複数あるときには、複数の対向車それぞれの走行状態に基づいて前記右折猶予時間を推定することを特徴とする請求項５に記載の運転支援装置。
【請求項７】
前記右折猶予時間推定手段は、交差点位置を終点として、前記対向車走行状態検出手段により検出された対向車の走行状態から、対向車が前記終点を通過するまでの時間を求め、この時間を前記右折猶予時間として推定することを特徴とする請求項１〜請求項６のいずれか１項に記載の運転支援装置。
【請求項８】
前記右折猶予時間推定手段は、交差点から対向車走行方向の反対側へ所定距離以内に設定された地点を終点として、前記対向車走行状態検出手段により検出された対向車の走行状態から、対向車が前記終点を通過するまでの時間を求め、この時間を前記右折猶予時間として推定することを特徴とする請求項１〜請求項６のいずれか１項に記載の運転支援装置。
【請求項９】
前記提示手段は、前記終点を挟む自車両の反対側に設定された地点を、対向車が通過するまで、右折猶予時間を運転者に提示することを特徴とする請求項７又は請求項８のいずれかに記載の運転支援装置。
【請求項１０】
自車両が右折して横切ろうとする横断歩道を通行する歩行者を検出する歩行者検出手段をさらに備え、
前記右折猶予時間推定手段は、前記対向車走行状態検出手段により検出された対向車の走行状態に加えて、前記歩行者検出手段により検出された歩行者の情報に基づいて、右折猶予時間を推定する
ことを特徴とする請求項１〜請求項９のいずれか１項に記載の運転支援装置。
【請求項１１】
前記右折猶予時間推定手段は、前記歩行者検出手段により検出された歩行者が横断歩道を通行し終えるまでの時間と、前記対向車走行状態検出手段により検出された対向車の走行状態によって自車両が右折可能となるまでの時間とのうち、長い方を右折猶予時間として推定することを特徴とする請求項１０に記載の運転支援装置。
【請求項１２】
前記提示手段は、前記右折猶予時間推定手段により推定された右折猶予時間が所定の上限値以上である場合、推定された右折猶予時間に代えて上限値を提示することを特徴とする請求項１〜請求項１１のいずれか１項に記載の運転支援装置。
【請求項１３】
前記提示手段は、前記右折猶予時間推定手段により推定された右折猶予時間が所定の下限値以下である場合、推定された右折猶予時間に代えて下限値を提示することを特徴とする請求項１〜請求項１２のいずれか１項に記載の運転支援装置。
【請求項１４】
対向車の運転者が周囲の車両に対して今後の車両の挙動を報せるために行う操作を検出する操作検出手段と、
前記操作検出手段により検出された操作によって対向車の運転者による運転意思を推定する対向車行動意思推定手段と、
前記対向車行動意思推定手段により推定された運転意志と、前記対向車走行状態検出手段により検出された対向車の走行状態とを比較して両者が一致するか否かを判断する対向車状態判断手段と、をさらに備え、
前記提示手段は、前記対向車状態判断手段により両者が一致しないと判断された場合に、一致しない旨の情報を提示する
ことを特徴とする請求項１〜請求項１３のいずれか１項に記載の運転支援装置。
【請求項１５】
前記対向車行動意思推定手段は、前記操作検出手段が対向車の運転者によるウインカー、パッシング又はクラクション操作を検出することで、対向車の運転者に右左折意思、停止意思、又は自車両に進路を譲る意思があることを推定し、
前記対向車状態判断手段は、前記対向車行動意思推定手段により対向車の運転者に右左折意思、停止意思、又は自車両に進路を譲る意思があることを推定したにも関わらず、前記対向車走行状態検出手段により対向車が自車両側に接近し続けることを検出した場合に、両者が一致しないと判断する
ことを特徴とする請求項１４に記載の運転支援装置。
【請求項１６】
対向車の運転者が周囲の車両に対して今後の車両の挙動を報せるために行う操作を検出する操作検出手段と、
前記対向車走行状態検出手段により複数の対向車の存在が検出された場合に、前記操作検出手段により検出された操作によって対向車の運転者による運転意思を推定する対向車行動意思推定手段と、
前記対向車走行状態検出手段により第１及び第２の対向車の存在が検出された場合に、前記対向車行動意思推定手段により推定された運転意志が第１及び第２の対向車の運転者同士で一致するか否かを判断する対向車状態判断手段と、をさらに備え、
前記提示手段は、前記対向車状態判断手段により運転意志が第１及び第２の対向車の運転者同士で一致しないと判断された場合に、一致しない旨の情報を提示する
ことを特徴とする請求項１〜請求項１３のいずれか１項に記載の運転支援装置。
【請求項１７】
交差点の信号の状態を検出する信号状態検出手段と、
前記信号状態検出手段により検出された信号の状態と、前記対向車走行状態検出手に段より検出された対向車の走行状態とを比較して両者が一致するか否かを判断する信号状態判断手段と、をさらに備え、
前記提示手段は、前記信号状態判断手段により両者が一致しないと判断された場合に、一致しない旨の情報を提示する
ことを特徴とする請求項１〜請求項１６のいずれか１項に記載の運転支援装置。
【請求項１８】
前記信号状態判断手段は、前記信号状態検出手段により検出された信号の状態から対向車の挙動を推定し、推定した対向車の挙動と、前記対向車走行状態検出手段により検出された対向車の走行状態とが一致するか否かを判断することを特徴とする請求項１７に記載の運転支援装置。
【請求項１９】
前記提示手段は、自車両が右折行動を開始していると判断された場合においてのみ、一致しない旨の情報を提示することを特徴とする請求項１４〜請求項１８のいずれか１項に記載の運転支援装置。
【請求項２０】
前記右折猶予時間推定手段は、自車両側に最も近い対向車が交差点を通過するまでの直近対向車通過時間を推定し、
前記提示手段は、右折行動するにあたり運転者が確認すべき場所に視線が向くように誘導する誘導情報を、前記右折猶予時間推定手段により推定された直近対向車通過時間に応じて提示する
ことを特徴とする請求項１〜請求項１９のいずれか１項に記載の運転支援装置。
【請求項２１】
前記直近対向車通過時間が経過してから次の対向車が交差点に接近するまでの間に、自車両が交差点を右折することができるか否かを推定する右折行動可能性予測手段をさらに備え、
前記提示手段は、前記右折行動可能性予測手段により自車両が交差点を右折できると推定された場合のみ、前記誘導情報を提示する
ことを特徴とする請求項２０に記載の運転支援装置。
【請求項２２】
前記右折行動可能性予測手段は、自車両に最も近い対向車が交差点を通過してから、次の対向車が交差点に到達するまでの時間を求め、その時間が規定時間以上であれば、自車両に最も近い対向車が交差点を通過した後に、自車両が交差点を右折できると推定することを特徴とする請求項２１に記載の運転支援装置。
【請求項２３】
前記右折行動可能性予測手段は、前記対向車走行状態検出手段により複数の対向車の存在が確認されない場合、自車両から最も近い対向車が交差点を通過した後に、自車両が交差点を右折できると推定することを特徴とする請求項２１又は請求項２２のいずれかに記載の運転支援装置。
【請求項２４】
前記提示手段は、対向車が交差点を通過する一定時間前から、その対向車が交差点を通過するまで、運転者が対向車以外の確認すべき場所を視認するように前記誘導情報を提示することを特徴とする請求項２０〜請求項２３のいずれか１項に記載の運転支援装置。
【請求項２５】
前記提示手段は、運転者の注意を引きつける刺激情報を提示し、前記刺激情報の提示箇所を移動させることで、前記誘導情報の提示とすることを特徴とする請求項２０〜請求項２４のいずれか１項に記載の運転支援装置。
【請求項２６】
前記刺激情報の提示箇所を移動させた後に、運転者の視線方向を検出する視線検出手段と、
前記視線検出手段により検出された視線方向が、前記刺激情報の移動前の方向に戻っているか否かを推定する視線推定手段と、をさらに備え、
前記提示手段は、前記視線推定手段により運転者の視線方向が前記刺激情報の移動前の方向に戻っていないと判断された場合、運転者の視線方向を戻すように情報提示する
ことを特徴とする請求項２５に記載の運転支援装置。
【請求項２７】
走行中の自車位置を検出して自車両が交差点に接近中であるか否かを検出し、自車両が交差点に接近中である場合には、接近中であることが検出された交差点への自車両の進入方向、及び自車両が進入する交差点の特性に基づいて、交差点を右折できるものであるか否かを判断する一方で、
運転者に右折の意思があるか否か、自車両が停止中であるか否かを検出し、さらに対向車の走行状態を検出して、この走行状態から自車両が右折可能となるまでの右折猶予時間を推定し、
交差点が右折できるものであると判断した場合には、運転者の右折意思が検出され、自車両が停止中であるときに、推定した右折猶予時間の情報を運転者に提示する
ことを特徴とする運転支援装置。
【発明の詳細な説明】
【技術分野】
【０００１】
本発明は、運転支援装置に関する。
【背景技術】
【０００２】
従来、道路を横断している又は横断しようとしている歩行者や自転車等の移動体と、自車両との衝突の危険性がある場合に、自車両の運転者に対して走行支援情報を提供する運転支援装置が知られている。この装置によれば、走行支援情報を提供することにより、運転者の発見の遅れ、運転判断の誤り、及び運転操作の誤りなどによって発生する移動体との衝突事故を防止することができる。（例えば、特許文献１参照）
【特許文献１】特開２００２−２６０１９３号公報
【発明の開示】
【発明が解決しようとする課題】
【０００３】
しかし、従来の運転支援装置では、道路を横断している又は横断しようとしている歩行者や自転車等の移動体との衝突事故を防止するだけであって、運転者の利便性及び運転支援の面で未だ以下のような問題を有している。
【０００４】
例えば、交差点において右折行動を行う際、運転者は右折がいつ可能となるかを判断するため、様々な対象に注意を払い続けなければならなくなる。このため、運転者は、実際に右折可能となるまで注意を払い続けることとなり、右折可能となるまでの時間中、他の行動（ナビの目的地設定など）を行ったり、他の行動のために注意を払ったりすることが困難となる。このように、従来の運転支援装置では、運転者の利便性の面で未だ向上の余地を残すものであった。
【０００５】
また、例えば、交差点においてスムーズに右折を行うためには、右折行動の開始が可能となった時点で、素早く右折行動を行う必要がある。ところが、右折が可能となるまでの時間は一定ではないため、運転者が右折行動の開始に遅れてしまい、スムーズな運転行動が行えなくなる可能性がある。このように、従来の運転支援装置では、運転支援の面で未だ向上の余地を残すものであった。
【０００６】
本発明はこのような従来の課題を解決するためになされたものであり、その目的とするところは、利便性及び運転支援性能の向上を図ることが可能な運転支援装置を提供することにある。
【課題を解決するための手段】
【０００７】
本発明の運転支援装置は、走行中の自車位置を検出する位置検出手段と、位置検出手段にて検出された自車位置に基づいて、自車両が交差点に接近中であることを検出する交差点接近検出手段と、交差点接近検出手段にて接近中であることが検出された交差点への自車両の進入方向、及び自車両が進入する交差点の特性に基づいて、交差点が右折できるものであるか否かを判断する右折可否判断手段とを備えている。
【０００８】
また、運転支援装置は、運転者の右折意思を検出する右折意思検出手段と、自車両が停止中であるか否かを検出する自車状態検出手段と、対向車の走行状態を検出する対向車走行状態検出手段とを備えている。また、運転支援装置は、対向車走行状態検出手段により検出された対向車の走行状態によって自車両が右折可能となるまでの右折猶予時間を推定する右折猶予時間推定手段を有している。
【０００９】
さらに、運転支援装置は提示手段を備え、提示手段は、右折可否判断手段により交差点が右折できるものであると判断され、右折意思検出手段により運転者の右折意思が検出され、自車状態検出手段により自車両が停止中であると検出された場合に、右折猶予時間推定手段により推定された右折猶予時間の情報を運転者に提示する構成となっている。
【発明の効果】
【００１０】
本発明によれば、自車両が交差点に接近中であることを検出したときに、交差点が右折できるものであるか否かを判断する一方で、運転者の右折意思を検出しているので、自車両が交差点に差し掛かり、運転者がその交差点を右折しようとしているか否かを判断することとなる。
【００１１】
また、自車両が停止中であるか否かを検出するので、右折の前段階として運転者が車両を一時的に停車させたか否かを検出することとなる。さらに、自車両が右折可能となるまでの右折猶予時間を推定するので、右折までの待機時間を推定することとなる。
【００１２】
そして、交差点が右折できるものであると判断され、運転者の右折意思が検出され、自車両が停止中であると検出された場合に、右折猶予時間の情報を運転者に提示している。すなわち、運転者が右折しようとしている状態を検出し、その状態時に右折までの待機時間を提示することとなる。
【００１３】
これにより、運転者は、右折可能となるまでの時間中、例えばナビの目的地設定など、他の行動を行ったり、目的地設定のために現在位置を確認するなど、他の行動のために注意を払ったりすることができる。また、運転者は、右折行動の開始が可能となった時点が容易にわかるため、素早く右折行動を行うことができる。従って、利便性及び運転支援性能の向上を図ることができる。
【発明を実施するための最良の形態】
【００１４】
以下、本発明の好適な実施形態を図面に基づいて説明する。なお、各図において、同一又は同様の要素には同一の符号を付して説明を省略するものとする。
【００１５】
図１は、本発明の第１実施形態に係る運転支援装置の構成図である。同図に示すように、本実施形態の運転支援装置１は、運転者の運転操作を支援するためのものであって、位置検出部（位置検出手段）１０と、記憶部（交差点特性記憶手段）１１と、交差点接近検出部（交差点接近検出手段）１２と、読出部（読出手段）１３と、進入方向検出部（進入方向検出手段）１４とを備えている。また、運転支援装置１は、右折可否判断部（右折可否判断手段）１５と、右折意思検出部（右折意思検出手段）１６とを備えている。さらに、運転支援装置１は、自車状態検出部（自車状態検出手段）１７と、対向車走行状態検出部（対向車走行状態検出手段）１８と、信号状態検出部（信号状態検出手段）１９と、右折猶予時間推定部（右折猶予時間推定手段）２０と、提示部（提示手段）２１とを備えている。
【００１６】
上記位置検出部１０は、走行中の自車位置を検出するものである。具体的に位置検出部１０は、ナビゲーションシステムにより、現在自車両が走行している位置座標を検出するものである。
【００１７】
記憶部１１は、複数の交差点の特性を記憶するものである。ここで、交差点の特性とは、交差点の形状、すなわち十字交差、Ｔ字交差、及びＹ字交差等をいう。従って、記憶部１１は、各地点の交差点がどのような形状となっているかを記憶していることとなる。また、記憶部１１は、複数の交差点の位置情報を記憶している。さらに、記憶部１１は、交差点の信号状態がどれくらいの時間で移行するかの情報も記憶している。なお、以下の説明において、交差点の特性は、交差点の形状であるとして説明する。
【００１８】
交差点接近検出部１２は、位置検出部１０にて検出された自車位置に基づいて、自車両が交差点に接近中であることを検出するものである。この検出の際、交差点接近検出部１２は、記憶部１１から複数の交差点の位置情報を読み出し、複数の交差点のいずれかに接近中であるか否かを判断するようになっている。
【００１９】
読出部１３は、記憶部１１に記憶された複数の交差点のうち、交差点接近検出部１２にて接近中であることが検出された交差点の形状を読み出すものである。また、読出部１３は、進入方向検出部１４及び右折可否判断部１５に接続され、これらに読み出した交差点の形状の情報を送信する構成となっている。
【００２０】
進入方向検出部１４は、読出部１３により読み出された交差点の形状から、当該交差点への自車両の進入方向を検出するものである。具体的に進入方向検出部１４は、位置検出部１０から時系列的に自車位置の情報を入力し、自車両の移動方向を求め、求めた移動方向と交差点の形状とから、進入方向を検出する構成となっている。また、進入方向検出部１４は、検出した進入方向の情報を右折可否判断部１５に送信する構成となっている。
【００２１】
右折可否判断部１５は、交差点接近検出部１２にて接近中であることが検出された交差点への自車両の進入方向、及び自車両が進入する交差点の形状に基づいて、その交差点を右折できるものであるか否かを判断するものである。具体的に右折可否判断部１５は、進入方向検出部１４により検出された進入方向と、読出部１３により読み出された交差点の形状とに基づいて、その交差点を右折できるものであるか否かを判断するものである。
【００２２】
例えば、右折可否判断部１５は、読出部１３により読み出された交差点がＴ字交差のものであって、自車両がＴ字交差点を直進できない方向から進入してきた場合には、そのＴ字交差点を右折できるものであると判断する。一方、右折可否判断部１５は、Ｔ字交差点であっても、自車両がＴ字交差点を直進及び左折できる方向から進入してきた場合には、そのＴ字交差点を右折できないものであると判断する。
【００２３】
右折意思検出部１６は、運転者の右折意思を検出するものである。具体的に右折意思検出部１６は、運転者が交差点接近時に右ウインカーを作動させている場合に、右ウインカーの作動信号を入力して、運転者の右折意思を検出するようになっている。
【００２４】
また、右折意思検出部１６は、自車両が交差点へ接近する段階で最右側のレーンを走行している場合には、運転者の右折意思を検出するようになっている。この場合、右折意思検出部１６は、撮像装置により自車両の前方風景を撮像し、撮像された映像を元に画像認識を行って、自車両が最右側レーンを走行しているか否かを判断する。さらに右折意思検出部１６は、ナビゲーションによる経路誘導により右折が促されている場合などにも、右折意志を検出する構成としてもよい。
【００２５】
自車状態検出部１７は、自車両が停止中であるか否かを判断するものである。具体的に自車状態検出部１７は、車速センサからの信号を入力する構成となっており、入力した信号に基づいて自車両が停止中か否かを判断する。また、自車状態検出部１７は、加速度センサや、ブレーキペダルの踏み込み量を検出する検出センサに接続され、自車両の下限速度やブレーキの作動状態についても検出する構成となっている。なお、自車状態検出部１７は、ブレーキの作動状態から自車両が停止中であるか否かを判断する構成であってもよい。
【００２６】
対向車走行状態検出部１８は、対向車の走行状態を検出するものである。ここで、対向車走行状態検出部１８は、走行状態として、対向車の存在、対向車の運転者による運転操作、並びに対向車の位置及び速度を検出する。より具体的に対向車走行状態検出部１８は、対向車の存在として対向車が何台存在しているかを検出し、対向車の運転者による運転操作として対向車が右左折しようしているかなどを検出する。なお、対向車走行状態検出部１８は、上記走行状態を、車車間無線通信により検出したり、交差点に設置されたレーダから検出したりする。
【００２７】
信号状態検出部１９は、交差点の信号の状態を検出するものである。すなわち、信号状態検出部１９は、交差点の信号が「青」、「赤」、「黄」、「右折」又は「左折」などのいずれであるかを検出するものである。
【００２８】
右折猶予時間推定部２０は、対向車走行状態検出部１８により検出された走行状態によって自車両が右折可能となるまでの右折猶予時間を推定するものである。具体的に右折猶予時間推定部２０は、対向車走行状態検出部１８により対向車の存在が検出されないとき、既に右折可能であることから、右折猶予時間を推定しない。他方、右折猶予時間推定部２０は、対向車の存在が検出されると、対向車走行状態検出部１８から対向車の存在位置の情報と対向車の走行速度の情報とを入力する。そして、右折猶予時間推定部２０は、交差点位置を終点として、対向車が終点を通過するまでの時間を求め、この時間を右折猶予時間として推定する。
【００２９】
また、右折猶予時間推定部２０は、信号状態検出部１９から信号状態の情報を入力し、これによって右折猶予時間を推定する構成となっている。具体的に右折猶予時間推定部２０は、自車両から視認できる自車両側の信号状態が「赤」を示しているとき、信号が「青」に変わるまでの時間を右折猶予時間として推定する。この際、右折猶予時間推定部２０は、記憶部１１から信号が「青」に変わるまでの時間の情報を入力して右折猶予時間を推定することとなる。
【００３０】
他方、右折猶予時間推定部２０は、自車両側の信号状態が「青」、「黄」又は「右折」のときには、上記と同様に、交差点位置を終点とし、対向車が終点を通過するまでの時間を右折猶予時間として推定する。
【００３１】
提示部２１は、右折可否判断部１５により交差点が右折できるものであると判断され、右折意思検出部１６により運転者の右折意思が検出され、自車状態検出部１７により自車両が停止中であると検出された場合に、右折猶予時間推定部２０により推定された右折猶予時間の情報を運転者に提示するものである。具体的に提示部２１は、運転者に情報提示する提示機能部と、提示に関する各種判断を行う判断部とからなっている。そして、提示部２１の提示機能部は図２に示すように車室内に設けられている。
【００３２】
図２は、提示部２１の提示機能部の詳細を示す説明図である。まず、図２（ａ）に示すように、提示部２１は、運転者にとって視認可能な位置、例えばクラスターＣ部分に設けられている。そして、提示部２１は、この設置位置から画像表示にて運転者に右折猶予時間を提示する構成となっている。
【００３３】
具体的に提示部２１は、図２（ｂ）〜（ｄ）に示すように、右折可能となるまで２秒を要する場合、「右折猶予時間あと２秒」と提示し、右折可能となるまで１秒を要する場合、「右折猶予時間あと１秒」と提示し、右折可能となると、表示を消去する。
【００３４】
なお、提示部２１は、右折が可能となったときに表示を消去しているが、これに限らず、右折可能の旨を報知する構成であってもよい。また、提示部２１は、フロントガラス部に表示内容を投影させるヘッドアップディスプレイであってもよい。さらに、提示部２１は、画像表示にて右折猶予時間を提示する構成に限らず、音声等にて提示を行う音声出力装置や触覚提示装置であってもよい。
【００３５】
次に、第１実施形態に係る運転支援装置１の動作を説明する。図３及び図４は、第１実施形態に係る運転支援装置１の動作を示すフローチャートであり、図５は、第１実施形態に係る運転支援装置１の動作の説明図である。
【００３６】
まず、図３に示すように、運転支援装置１は、自車両が走行中であることを検出すると、自車位置座標及び交差点位置座標を検出する（ＳＴ１０）。この際、運転支援装置１は、位置検出部１０により自車位置座標を検出し、記憶部１１に記憶された交差点の位置情報により交差点位置座標を検出する。
【００３７】
その後、交差点接近検出部１２は、自車位置座標と交差点位置座標との差Ｄが閾値Ｔ０以下であるか否かを判断する（ＳＴ１１）。ここで、閾値Ｔ０は、予め定められた一定の値であってもよいし、交差点ごと毎に異なる値であってよい。また、閾値Ｔ０は記憶部１１に記憶されていており、交差点接近検出部１２は、記憶部１１に記憶された交差点の位置情報の他に、閾値Ｔ０の情報を読み込んで、ステップＳＴ１１の判断を行うこととなる。
【００３８】
自車位置座標と交差点位置座標との差Ｄが閾値Ｔ０以下でないと判断した場合（ＳＴ１１：ＮＯ）、交差点接近検出部１２は交差点に接近中でないと判断し（ＳＴ１２）、提示部２１は、右折猶予時間の表示を行っている場合には表示を消去し、右折猶予時間の表示を行っていない場合にはその表示を継続する（図４：ＳＴ３５）。その後、処理は終了して再度ステップＳＴ１０から実行されることとなる。
【００３９】
一方、図３に示すように、自車位置座標と交差点位置座標との差Ｄが閾値Ｔ０以下であると判断した場合（ＳＴ１１：ＹＥＳ）、交差点接近検出部１２は交差点に接近中であると判断する（ＳＴ１３）。そして、読出部１３は接近中であることが検出された交差点の特性、すなわち交差点の形状の情報を読み出して、進入方向検出部１４及び右折可否判断部１５に送信する（ＳＴ１４）。
【００４０】
その後、進入方向検出部１４は、交差点の形状と、自車位置の時系列データとから、交差点への進入方向を検出すると共に、自車両の走行レーンを検出する（ＳＴ１５）。そして、進入方向検出部１４は、進入方向の情報及び走行レーンの情報を右折可否判断部１５に送信する。
【００４１】
次いで、右折可否判断部１５は、接近中の交差点が右折可能であるか否かを判断する（ＳＴ１６）。すなわち、右折可否判断部１５は、読出部１３からの交差点の形状、及び進入方向検出部１４からの進入方向の情報に基づいて、接近中の交差点が右折可能であるか否かを判断する。
【００４２】
ここで、接近中の交差点が右折可能でないと判断した場合（ＳＴ１６：ＮＯ）、提示部２１は、右折猶予時間の表示を行っている場合には表示を消去し、右折猶予時間の表示を行っていない場合にはその表示を継続する（図４：ＳＴ３５）。その後、処理は終了して再度ステップＳＴ１０から実行されることとなる。
【００４３】
一方、図３に示すように、接近中の交差点が右折可能であると判断した場合（ＳＴ１６：ＹＥＳ）、右折意思検出部１６は右ウインカーの作動信号が検出されたか否かを判断する（ＳＴ１７）。右ウインカーの作動信号が検出されたと判断した場合（ＳＴ１７：ＹＥＳ）、処理はステップＳＴ２０に移行する。一方、右ウインカーの作動信号が検出されなかったと判断した場合（ＳＴ１７：ＮＯ）、右折意思検出部１６は自車両が最右側レーンを走行中であるか否かを判断する（ＳＴ１８）。
【００４４】
ここで、自車両が最右側レーンを走行中でないと判断した場合（ＳＴ１８：ＮＯ）、本装置１は自車両が右折待ちでないと判断する（ＳＴ１９）。そして、提示部２１は、右折猶予時間の表示を行っている場合には表示を消去し、右折猶予時間の表示を行っていない場合にはその表示を継続する（図４：ＳＴ３５）。その後、処理は終了して再度ステップＳＴ１０から実行されることとなる。一方、図３に示すように、自車両が最右側レーンを走行中であると判断した場合（ＳＴ１８：ＹＥＳ）、処理はステップＳＴ２０に移行する。
【００４５】
ステップＳＴ２０において、自車状態検出部１７は、自車両が停止中であるか否かを判断する（ＳＴ２０）。自車両が停止中でないと判断した場合（ＳＴ２０：ＮＯ）、本装置１は自車両が右折待ちでないと判断する（ＳＴ１９）。そして、提示部２１は、右折猶予時間の表示を行っている場合には表示を消去し、右折猶予時間の表示を行っていない場合にはその表示を継続する（図４：ＳＴ３５）。その後、処理は終了して再度ステップＳＴ１０から実行されることとなる。
【００４６】
他方、自車両が停止中であると判断した場合（ＳＴ２０：ＹＥＳ）、本装置１は自車両が右折待ちの停止中であると判断する（ＳＴ２１）。次いで、信号状態検出部１９は、信号の状態を検出する（ＳＴ２２）。そして、信号状態検出部１９は、交差点の信号が「赤」であるか、すなわち右折不可能な場合か否かを判断する（図４：ＳＴ２３）。
【００４７】
交差点の信号が「赤」、すなわち右折不可能であると判断した場合（ＳＴ２３：ＹＥＳ）、右折猶予時間推定部２０は、交差点の信号が「青」に変わるまでの時間を右折猶予時間として推定する（ＳＴ２４）。そして、処理はステップＳＴ３１に移行する。
【００４８】
一方、交差点の信号が「赤」、すなわち右折不可能でないと判断した場合（ＳＴ２３：ＮＯ）、対向車走行状態検出部１８は、対向車の走行状態、すなわち対向車の存在、対向車の運転者のによる運転操作、並びに対向車の位置及び速度を検出する（ＳＴ２５）。そして、右折猶予時間推定部２０は、接近中の対向車がいるか否かを判断する（ＳＴ２６）。
【００４９】
ここで、接近中の対向車がいないと判断した場合（ＳＴ２６：ＮＯ）、例えば、対向車がいない場合、対向車は存在するがその対向車が停車中である場合、又は対向車は存在するがその対向車が交差点を通過することなく右左折をする場合、右折猶予時間推定部２０は、自車両が右折可能であると判断する（ＳＴ２７）。そして、提示部２１は、右折猶予時間の表示消去、又は消去表示の継続を行い（ＳＴ３５）、その後、処理は終了して再度ステップＳＴ１０から実行されることとなる。
【００５０】
他方、接近中の対向車がいると判断した場合（ＳＴ２６：ＹＥＳ）、右折猶予時間推定部２０は、対向車がいることから（ＳＴ２８）、自車両から対向車までの距離が閾値Ｔ１よりも小さいか否かを判断する（ＳＴ２９）。
【００５１】
そして、自車両から対向車までの距離が閾値Ｔ１よりも小さくないと判断した場合（ＳＴ２９：ＮＯ）、すなわち、図５（ａ）に示すように、対向車までの距離が充分に長い場合、右折行動に余裕をもてることから、右折猶予時間推定部２０は、右折可能であると判断する（ＳＴ２７）。そして、提示部２１は、右折猶予時間の表示消去、又は消去表示の継続を行い（ＳＴ３５）、その後、処理は終了して再度ステップＳＴ１０から実行されることとなる。
【００５２】
一方、自車両から対向車までの距離が閾値Ｔ１よりも小さいと判断した場合（ＳＴ２９：ＹＥＳ）、すなわち、図５（ｂ）に示すように、自車両が右折できないほど対向車が接近している場合、右折猶予時間推定部２０は、交差点位置を終点として、対向車が終点を通過するまでの時間を右折猶予時間として推定する（ＳＴ３０）。次いで、処理はステップＳＴ３１に移行する。
【００５３】
ステップＳＴ３１において、提示部２１は、ステップＳＴ２４又はステップＳＴ３０で推定された右折猶予時間が「０」となっているか否かを判断する（ＳＴ３１）。ここで、右折猶予時間が「０」となっていると判断した場合（ＳＴ３１：ＹＥＳ）、提示部２１は、右折猶予時間の表示を消去し（ＳＴ３５）、その後、処理は終了して再度ステップＳＴ１０から実行されることとなる。
【００５４】
一方、右折猶予時間が「０」となっていないと判断した場合（ＳＴ３１：ＮＯ）、提示部２１は、右折猶予時間を提示する（ＳＴ３２）。これにより、運転者は、右折猶予時間、すなわち右折可能となるまでの時間を知ることができ、その時間内にナビの目的地設定など、他の行動をとることができる。また、運転者は、いつ右折可能となるか容易に知ることができるため、右折可能となったときにはスムーズに右折行動を開始することができる。
【００５５】
その後、提示部２１は、対向車走行状態検出部１８により検出された対向車の運転者による運転操作などから、対向車の停止、対向車線からの離脱、及び対向車の右左折のいずれかを検出したか否かを判断する（ＳＴ３３）。
【００５６】
そして、対向車の停止、対向車線からの離脱、及び対向車の右左折のいずれかを検出したと判断した場合（ＳＴ３３：ＹＥＳ）、右折猶予時間に変更が生じる可能性が高いことから、処理は図３のステップＳＴ２２に戻り、右折猶予時間が再度推定されることとなる。すなわち、図５（ｃ）に示すように、対向車が停止してしまった場合、その対向車が交差点を通過するまでには多くの時間を要する可能性が高くなる。また、図５（ｄ）に示すように、対向車が対向車線からの離脱（右左折）してしまった場合、その対向車が交差点を通過しなくなる。このため、本装置１では処理を図３のステップＳＴ２２に戻し、再度右折猶予時間の推定を行うこととしている。
【００５７】
他方、対向車の停止、対向車線からの離脱、及び対向車の右左折のいずれもが検出されないと判断した場合（ＳＴ３３：ＮＯ）、提示部２１は右折行動が完了したか否かを判断する（ＳＴ３４）。ここで、提示部２１は、例えば位置検出部１０から自車位置の情報を入力し、自車両が交差点を右折し終えたか否かを判断する。
【００５８】
そして、交差点を右折し終えていないと判断した場合（ＳＴ３４：ＮＯ）、処理は図３のステップＳＴ２２に戻り、右折猶予時間が再度推定されることとなる。他方、交差点を右折し終えたと判断した場合（ＳＴ３４：ＹＥＳ）、既に右折猶予時間を提示する必要性がないことから、提示部２１は、右折猶予時間の表示を消去し（ＳＴ３５）、その後、処理は終了して再度ステップＳＴ１０から実行されることとなる。
【００５９】
なお、本実施形態に係る運転支援装置１は、以下の処理を実行するようにしてもよい。すなわち、右折が終了した後、提示部２１は、自車両が右折するときに要した所要時間を記憶する処理を実行する。この記憶は記憶部１１が行ってもよい。そして、提示部２１は、自車両が右折を行うごとに、各々の交差点ごとに所要時間を記憶していく。次いで、提示部２１は、記憶した所要時間中に対向車が走行すると予測される距離を閾値Ｔ１として設定する。
【００６０】
そして、自車両が交差点を右折する場合には、自車両と対向車との距離がその交差点での閾値Ｔ１よりも小さい場合に、右折猶予時間を運転者に提示することとする。すなわち、図４のステップＳＴ２９の閾値Ｔ１を変更して、図３及び図４に示す処理を実行することとなる。
【００６１】
このようにして、第１実施形態に係る運転支援装置１によれば、自車両が交差点に接近中であることを検出したときに、交差点が右折できるものであるか否かを判断する一方で、運転者の右折意思を検出しているので、自車両が交差点に差し掛かり、運転者がその交差点を右折しようとしているか否かを判断できることとなる。
【００６２】
また、自車両が停止中であるか否かを検出するので、右折の前段階として運転者が車両を一時的に停車させたか否かを検出することとなる。さらに、自車両が右折可能となるまでの右折猶予時間を推定するので、右折までの待機時間を推定することとなる。
【００６３】
そして、交差点が右折できるものであると判断され、運転者の右折意思が検出され、自車両が停止中であると検出された場合に、右折猶予時間の情報を運転者に提示している。すなわち、運転者が右折しようとしている状態を検出し、その状態時に右折までの待機時間を提示することとなる。
【００６４】
これにより、運転者は、右折可能となるまでの時間中、例えばナビの目的地設定など、他の行動を行ったり、目的地設定のために現在位置を確認するなど、他の行動のために注意を払ったりすることができる。また、運転者は、右折行動の開始が可能となった時点が容易にわかるため、素早く右折行動を行うことができる。従って、利便性及び運転支援性能の向上を図ることができる。
【００６５】
また、複数の交差点の特性を記憶する記憶部１１を有するため、交差点の特性が不明となってしまうことが少なくなる。例えば、車両外部から交差点の特性を無線通信にて受信する構成の場合、無線通信の不良により交差点の特性が不明となってしまうが、記憶部１１が複数の交差点の特性を記憶しておくことで、無線通信不良の可能性が無くなり交差点の特性が不明となってしまうことの可能性を減じることができる。従って、右折可否判断を確実にすることできる。
【００６６】
また、記憶部１１は、交差点の特性として交差点の形状を記憶しているため、交差点への進入方向との関係において、右折可能か否かを容易に判断することができる。
【００６７】
また、各々の交差点ごとに、過去に自車両が右折するときに要した所要時間を記憶し、記憶した所要時間中に対向車が走行すると予測される距離を閾値として設定している。すなわち、図４のステップＳＴ２９における閾値は、過去に右折に要した時間から求められることとなる。このため、自車両が右折しようとしている交差点において、対向車が閾値よりも近くに存在する場合には、正確に右折不可能と判断できる。
【００６８】
そして、右折不可能時には右折猶予時間を運転者に提示することとしている。このため、右折不可能時のみに右折猶予時間を運転者に提示することとなり、右折可能時には右折猶予時間を運転者に提示しないこととなる。すなわち、精度良く右折の可否を判断したうえで、右折可能時には右折猶予時間を運転者に提示して待機を促すことがない。従って、適切な提示を行うことができる。
【００６９】
次に、本発明の第２実施形態を説明する。第２実施形態に係る運転支援装置１ａは、第１実施形態のものと同様であるが、処理内容の一部が第１実施形態のものと異なっている。
【００７０】
以下、第２実施形態に係る運転支援装置１ａについて説明する。まず、自車両は、対向車が複数存在しているとき、１台の対向車が交差点を通過したからといって右折可能となるわけでなく、存在する対向車の全てが交差点を通過するなどした段階で右折可能となる。
【００７１】
このため、第２実施形態に係る運転支援装置１ａは、複数の対向車を対象に右折猶予時間を推定するようになっている。具体的に第２実施形態に係る右折猶予時間推定部２０は、対向車走行状態検出部１８により対向車が複数検出された場合に、複数の対向車それぞれの走行状態に基づいて右折猶予時間を推定するようになっている。これにより、第２実施形態では、対向車が複数存在する場合においても、右折猶予時間を正確に推定することができるようになっている。
【００７２】
図６〜図８は、第２実施形態に係る運転支援装置１ａの動作を示すフローチャートである。なお、図６〜図８に示すフローチャートでは、２台の対向車の走行状態に基づいて右折猶予時間を推定する場合を例に説明する。また、図６に示すフローチャートのステップＳＴ４０〜ＳＴ５２は、図３に示すＳＴ１０〜ＳＴ２２と同様であるため、説明を省略する。
【００７３】
まず、図７に示すように、信号状態検出部１９は、自車両側の信号の状態を検出した後（ＳＴ５２の後）、交差点の信号が「赤」であるか、すなわち右折不可能な場合か否かを判断する（ＳＴ５３）。
【００７４】
そして、交差点の信号が「赤」、すなわち右折不可能であると判断した場合（ＳＴ５３：ＹＥＳ）、右折猶予時間推定部２０は、交差点の信号が「青」に変わるまでの時間を右折猶予時間として推定する（ＳＴ５４）。その後、提示部２１は、ステップＳＴ５４で推定された右折猶予時間が「０」となっているか否かを判断する（図８：ＳＴ７１）。ここで、右折猶予時間が「０」となっていると判断した場合（ＳＴ７１：ＹＥＳ）、提示部２１は、右折猶予時間の表示消去、又は消去表示を行い（ＳＴ７３）、その後、処理は終了して再度ステップＳＴ１０から実行されることとなる。
【００７５】
一方、右折猶予時間が「０」となっていないと判断した場合（ＳＴ７１：ＮＯ）、提示部２１は、右折猶予時間を提示する（ＳＴ７２）。その後、処理は図６のステップＳＴ５２に戻る。
【００７６】
ところで、図７に示すように、交差点の信号が「赤」、すなわち右折不可能でないと判断した場合（ＳＴ５３：ＮＯ）、対向車走行状態検出部１８は、対向車の走行状態を検出する（ＳＴ５５）。そして、右折猶予時間推定部２０は、接近中の対向車がいるか否かを判断する（ＳＴ５６）。
【００７７】
ここで、接近中の対向車がいないと判断した場合（ＳＴ５６：ＮＯ）、右折猶予時間推定部２０は、対向車がいないことから、右折可能であると判断する（ＳＴ５７）。そして、提示部２１は、右折猶予時間の表示消去、又は消去表示の継続を行い（図８：ＳＴ７３）、その後、処理は終了して再度ステップＳＴ４０から実行されることとなる。
【００７８】
また、図７に示すように、接近中の対向車がいると判断した場合（ＳＴ５６：ＹＥＳ）、右折猶予時間推定部２０は、検出した対向車を対向車Ａとする（ＳＴ５８）。このとき、右折猶予時間推定部２０は、検出した対向車のうち最も近いものをを対向車Ａとする。そして、右折猶予時間推定部２０は、自車両から対向車Ａまでの距離が閾値Ｔ１よりも小さいか否かを判断する（ＳＴ５９）。
【００７９】
次いで、自車両から対向車までの距離が閾値Ｔ１よりも小さくないと判断した場合（ＳＴ５９：ＮＯ）、すなわち、対向車Ａまでの距離が充分に長い場合、右折行動に余裕をもてることから、右折猶予時間推定部２０は、右折可能であると判断する（ＳＴ５７）。そして、提示部２１は、右折猶予時間の表示消去、又は消去表示の継続を行い（図８：ＳＴ７３）、その後、処理は終了して再度ステップＳＴ４０から実行されることとなる。
【００８０】
一方、図７に示すように、自車両から対向車Ａまでの距離が閾値Ｔ１よりも小さいと判断した場合（ＳＴ５９：ＹＥＳ）、すなわち、自車両が右折できないほど対向車Ａが接近している場合、右折猶予時間推定部２０は、後続車がいるか否かを判断する（ＳＴ６０）。
【００８１】
ここで、後続車がいないと判断した場合（ＳＴ６０：ＮＯ）、右折猶予時間推定部２０は、対向車が１台のみであることから、右折猶予時間の推定対象を対向車Ａとする（ＳＴ６１）。そして、処理はステップＳＴ６５に移行する。
【００８２】
他方、後続車がいると判断した場合（ＳＴ６０：ＹＥＳ）、右折猶予時間推定部２０は、検出した後続車を対向車Ｂとする（ＳＴ６２）。そして、右折猶予時間推定部２０は、自車両から対向車Ｂまでの距離が閾値Ｔ１よりも小さいか否かを判断する（ＳＴ６３）。
【００８３】
そして、自車両から対向車までの距離が閾値Ｔ１よりも小さくないと判断した場合（ＳＴ６３：ＮＯ）、すなわち、対向車Ｂまでの距離が充分に長い場合、右折できるか否かについて対向車Ｂが影響を与えないことから、右折猶予時間推定部２０は、右折猶予時間の推定対象を対向車Ａとする（ＳＴ６１）。そして、処理はステップＳＴ６５に移行する。
【００８４】
一方、自車両から対向車Ｂまでの距離が閾値Ｔ１よりも小さいと判断した場合（ＳＴ６３：ＹＥＳ）、すなわち、右折できるか否かについては対向車Ａのみならず対向車Ｂも影響を与ええることから、右折猶予時間推定部２０は、対向車Ａよりも遠くに位置する対向車Ｂを、右折猶予時間の推定対象をする（ＳＴ６４）。
【００８５】
ステップＳＴ６５において、右折猶予時間推定部２０は、交差点位置を終点として、対向車が終点を通過するまでの時間を右折猶予時間として推定する（ＳＴ６５）。次いで、提示部２１は、ステップＳＴ６５で推定された右折猶予時間が「０」となっているか否かを判断する（図８：ＳＴ６６）。ここで、右折猶予時間が「０」となっていると判断した場合（ＳＴ６６：ＹＥＳ）、提示部２１は、右折猶予時間の表示消去、又は消去表示の継続を行う（ＳＴ７３）。その後、処理は終了して再度ステップＳＴ４０から実行されることとなる。
【００８６】
一方、右折猶予時間が「０」となっていないと判断した場合（ＳＴ６６：ＮＯ）、提示部２１は、右折猶予時間を提示する（ＳＴ６７）。その後、提示部２１は、対向車走行状態検出部１８により検出された対向車の運転者による運転操作などから、対向車Ａの停止、対向車線からの離脱、及び対向車Ａの右左折のいずれかを検出したか否かを判断する（ＳＴ６８）。
【００８７】
そして、対向車Ａの停止、対向車線からの離脱、及び対向車Ａの右左折のいずれかを検出したと判断した場合（ＳＴ６８：ＹＥＳ）、処理は図６のステップＳＴ５２に戻り、右折猶予時間が再度推定されることとなる。他方、対向車Ａの停止、対向車線からの離脱、及び対向車Ａの右左折のいずれもが検出されないと判断した場合（ＳＴ６８：ＮＯ）、提示部２１は、対向車Ｂの停止、対向車線からの離脱、及び対向車Ｂの右左折のいずれかを検出したか否かを判断する（ＳＴ６９）。
【００８８】
そして、対向車Ｂの停止、対向車線からの離脱、及び対向車Ｂの右左折のいずれかを検出したと判断した場合（ＳＴ６９：ＹＥＳ）、処理は図６のステップＳＴ５２に戻り、右折猶予時間が再度推定されることとなる。他方、対向車Ｂの停止、対向車線からの離脱、及び対向車Ｂの右左折のいずれもが検出されないと判断した場合（ＳＴ６９：ＮＯ）、提示部２１は右折行動が完了したか否かを判断する（ＳＴ７０）。
【００８９】
そして、交差点を右折し終えていないと判断した場合（ＳＴ７０：ＮＯ）、処理は図６のステップ５２に戻り、右折猶予時間が再度推定されることとなる。他方、交差点を右折し終えたと判断した場合（ＳＴ７０：ＹＥＳ）、既に右折猶予時間を提示する必要性がないことから、提示部２１は、右折猶予時間の表示を消去する（ＳＴ７３）。その後、処理は終了して再度ステップＳＴ４０から実行されることとなる。
【００９０】
このように、第２実施形態では、対向車が２台存在する場合であっても、右折猶予時間の推定対象をいずれかに決定して、正確な右折猶予時間を推定することとしている。なお、図６〜図８に示すフローチャートでは、対向車が最大で２台の場合を例に説明したが、これに限らず、対向車の数は３台以上であってもよい。この場合、図７に示すフローチャートのステップＳＴ６０〜ＳＴ６４の処理を複数回行うようにすればよい。
【００９１】
ここで、右折猶予時間の推定対象の決定について、さらに詳しく説明する。図９〜図１３は、図７に示した右折猶予時間の推定対象の決定についての説明図である。
【００９２】
図９（ａ）に示すように、自車両から対向車Ａまでの距離が閾値Ｔ１より小さいが、自車両から対向車Ｂまでの距離が閾値Ｔ１より以上である場合、右折猶予時間推定部２０はステップＳＴ６３で「ＮＯ」と判断し、右折猶予時間の推定対象を対向車Ａとする。
【００９３】
これに対し、図９（ｂ）に示すように、自車両から対向車Ａ及び対向車Ｂまでの距離が閾値Ｔ１より小さい場合、右折猶予時間推定部２０はステップＳＴ６３で「ＹＥＳ」と判断し、右折猶予時間の推定対象を対向車Ｂとする。
【００９４】
また、図９（ｃ）に示すように、自車両から対向車Ａ及び対向車Ｂまでの距離が閾値Ｔ１より小さいが、その後対向車Ａが車線を離脱してしまった場合、対向車Ａは右折猶予時間の推定に影響を与えなくなるため、右折猶予時間推定部２０は、右折猶予時間の推定対象を対向車Ｂとする。
【００９５】
また、図９（ｄ）に示すように、自車両から対向車Ａ及び対向車Ｂまでの距離が閾値Ｔ１より小さいが、その後対向車Ｂが車線を離脱してしまった場合、対向車Ｂは右折猶予時間の推定に影響を与えなくなるため、右折猶予時間推定部２０は、右折猶予時間の推定対象を対向車Ａとする。
【００９６】
さらに、図１０（ａ）及び（ｂ）に示す場合にあっては、対向車Ａのみが閾値Ｔ１より自車両側の区間に存在しているが、対向車Ａが停止しているため、右折猶予時間の推定対象はなく、右折猶予時間推定部２０は右折猶予時間を推定しない。ところが、図１０（ｃ）に示すように、閾値Ｔ１より自車両側の区間に対向車Ｂが進入してきた場合、右折猶予時間推定部２０は右折猶予時間の推定対象を対向車Ｂとする。
【００９７】
また、図１１（ａ）に示すように、閾値Ｔ１より自車両側の区間に存在する対向車Ａが車線を離脱し、対向車線に存在しない車両Ａ’が閾値Ｔ１より自車両側の区間に進入してきた場合、対向車Ａは右折猶予時間の推定に影響を与えなくなる一方、車両Ａ’は新たに対向車として右折猶予時間の推定に影響を与えることとなる。このため、右折猶予時間推定部２０は、右折猶予時間の推定対象を車両Ａ’とする。
【００９８】
ところが、図１１（ｂ）に示すように、車両Ａ’の進入地点よりも、自車両から遠ざかる位置に対向車Ｂが存在し、且つ、その対向車Ｂが閾値Ｔ１より自車両側の区間に存在する場合、右折猶予時間推定部２０は、右折猶予時間の推定対象を対向車Ｂとする。また、図１１（ｃ）に示すように、車両Ａ’の進入地点よりも、自車両側に対向車Ｂが存在する場合、右折猶予時間推定部２０は、右折猶予時間の推定対象を車両Ａ’とする。
【００９９】
さらに、図１２（ａ）に示すように、対向車Ａが閾値Ｔ１より自車両側の区間に存在し、車両Ｂ’が閾値Ｔ１より自車両側の区間且つ対向車Ａの後方に進入してきた場合、右折猶予時間推定部２０は、車両Ｂ’が進入してきた時点で、右折猶予時間の推定対象を車両Ｂ’とする。
【０１００】
また、図１２（ｂ）に示すように、対向車Ａが閾値Ｔ１より自車両側の区間に存在し、対向車Ｂが閾値Ｔ１より自車両側の区間且つ対向車Ａの後方に停車している場合、右折猶予時間推定部２０は、右折猶予時間の推定対象を対向車Ａとする。また、図１２（ｃ）に示すように、後続車である対向車Ｂが閾値Ｔ１より自車両側の区間において先行する対向車Ａを追い抜かした場合、右折猶予時間の推定対象を対向車Ａとする。
【０１０１】
さらに、図１３（ａ）に示すように、対向車Ａが閾値Ｔ１より自車両側の区間に存在するが、交差点を通過することなく交差点を左折しようとしている場合、対向車Ａが左折行動に行った時点で、右折猶予時間の推定対象はなくなる。よって、右折猶予時間推定部２０は右折猶予時間を推定しない。
【０１０２】
また、図１３（ａ）の状況に加えて、図１３（ｂ）に示すように、対向車Ｂが存在するが、閾値Ｔ１より自車両側の区間に存在していない場合、同様に、右折猶予時間推定部２０は右折猶予時間を推定しない。ところが、図１３（ｃ）に示すように、対向車Ｂが閾値Ｔ１より自車両側の区間に存在する場合、右折猶予時間推定部２０は右折猶予時間の推定対象を対向車Ｂとする。
【０１０３】
以上のように、第２実施形態において右折猶予時間推定部２０は、右折猶予時間の推定対象を適宜決定して、正確な右折猶予時間を推定することとなる。
【０１０４】
このようにして、第２実施形態に係る運転支援装置１ａによれば、第１実施形態と同様に、利便性及び運転支援性能の向上を図ることができ、右折可否判断を確実にすることできる。また、右折可能か否かを容易に判断することができ、適切な提示を行うことができる。
【０１０５】
さらに、第２実施形態によれば、対向車が複数あるときには、複数の対向車それぞれの走行状態に基づいて右折猶予時間を推定するので、対向車が複数存在する様々な場合において、右折猶予時間を正確に推定することができる。
【０１０６】
次に、本発明の第３実施形態について説明する。第３実施形態に係る運転支援装置１ｂは、第２実施形態のものと同様であるが、処理内容の一部が第２実施形態のものと異なっている。
【０１０７】
以下、第３実施形態に係る運転支援装置１ｂについて説明する。図１４は、第３実施形態に係る運転支援装置１ｂの概略説明図である。同図に示すように、第２実施形態に係る運転支援装置１ａでは、右折猶予時間を求めるための終点位置を交差点内に設定していたが、本実施形態に係る運転支援装置１ｂでは、対向車線の停止線位置を終点としている。このため、右折猶予時間推定部２０は、対向車が停止線を通過するまでの時間を右折猶予時間として推定することとなる。
【０１０８】
一般的に運転者は右折ができることを提示されても、即座に車両を右折させるわけでなく、右折操作に或る程度の時間を要する。このため、対向車が実際に交差点を通過するよりも早くに右折猶予時間を「０」とすれば、運転者に右折行動の時間を与えることとなり、右折する際には、対向車が丁度交差点を通過するなど、右折タイミングの最適化を図ることができる。
【０１０９】
ここで、終点は、停止線位置に限らず、交差点から対向車走行方向の反対側に設定されていればよい。すなわち、対向車が実際に交差点を通過するよりも早くに右折猶予時間を「０」とし、運転者に右折行動の時間を与えるようになっていればよく、終点は停止線位置に限られない。
【０１１０】
但し、交差点からあまりに遠い位置で右折猶予時間が「０」となると、却って交差点を右折する際に支障をきたす。このため、対向車走行方向の反対側に向かって所定距離以内の地点を終点とする必要がある。この点、終点を停止線位置としておけば、適切に運転者に右折行動の時間を与えることができる。
【０１１１】
このようにして、第３実施形態に係る運転支援装置１ｂによれば、第３実施形態と同様に、利便性及び運転支援性能の向上を図ることができ、右折可否判断を確実にすることできる。また、右折可能か否かを容易に判断することができ、適切な提示を行うことができる。また、右折猶予時間を正確に推定することができる。
【０１１２】
さらに、第３実施形態によれば、交差点から対向車走行方向の反対側へ所定距離以内に設定された地点を終点とし、対向車が終点を通過するまでの時間を求め、この時間を右折猶予時間と推定している。
【０１１３】
このため、右折猶予時間は対向車が実際に交差点を通過するよりも早くに「０」となる。ここで、一般的に運転者は右折ができることを提示されても、即座に車両を右折させるわけでなく、右折操作に或る程度の時間を要する。従って、対向車が実際に交差点を通過するよりも早くに「０」とすれば、運転者に右折行動の時間を与えることとなり、右折する際には、対向車が丁度交差点を通過するなど、右折タイミングの最適化を図ることができる。
【０１１４】
次に、本発明の第４実施形態について説明する。第４実施形態に係る運転支援装置１ｃは、第３実施形態のものと同様であるが、処理内容の一部が第３実施形態のものと異なっている。
【０１１５】
以下、第４実施形態に係る運転支援装置１ｃについて説明する。まず、第３実施形態に係る運転支援装置１ｂにおいて提示部２１は、右折猶予時間の推定対象である対向車が存在し続ける限り、右折猶予時間が「０」となるまで提示していた。ところが、第４実施形態に係る運転支援装置１ｃでは、右折猶予時間が「０」となるまで提示しないようになっている。
【０１１６】
図１５は、第４実施形態に係る運転支援装置１ｃの概略説明図である。同図に示すように、第４実施形態に係る運転支援装置１ｃでは、対向車が特定地点を通過するまで右折猶予時間を運転者に提示するようにしている。
【０１１７】
まず、図１５（ａ）及び（ｂ）に示すように、終点を挟む自車両の反対側の地点を、特定地点とする。この場合、図１５（ａ）に示すように、対向車が特定地点に達していないとき、提示部２１は右折猶予時間を提示する。ところが、図１５（ｂ）に示すように、対向車が特定地点に達したとき、対向車が終点に達していないにも関わらず、提示部２１は右折猶予時間の提示を中止する。
【０１１８】
このように、右折猶予時間は終点を通過する前に提示されなくなる。このため、対向車が特定地点を通過するときには、右折猶予時間が「０」でないにも関わらず、右折猶予時間の提示を中止し、右折ができることを運転者に提示することとなる。ところが、一般的に運転者は右折ができることを提示されても、右折可能であることを確認する。すなわち、右折可能であることが提示されても、運転者は即座に自車両を右折させるわけでなく、右折のために交差点を確認する傾向にある。従って、対向車が終点を通過するまえに右折猶予時間の提示を中止すれば、運転者に交差点確認の時間を与えることとなり、交差点確認を行って右折する際には、対向車が丁度交差点を通過するなど、右折タイミングの最適化を図ることができる。
【０１１９】
また、図１５（ｃ）及び（ｄ）に示すように、終点よりも自車両側の地点を、特定地点とした場合、対向車は特定地点を通過する前に、必ず終点を通過する。このため、右折猶予時間は「０」となるまで提示され、第４実施形態に係る運転支援装置１ｃは、第３実施形態の場合と同じ動作をすることとなる。
【０１２０】
従って、上記の如く、右折タイミングの最適化を図るために、第４実施形態に係る運転支援装置１ｃでは、終点を挟む自車両の反対側の地点を特定地点として設定しなければならない。
【０１２１】
図１６は、第４実施形態に係る運転支援装置１ｃの動作を示すフローチャートである。なお、第４実施形態に係る運転支援装置１ｃは、第２実施形態に係る運転支援装置１ａが実行する動作の一部（図６及び図７の動作）と同じ動作を実行するため、同じ動作を実行する部分については、説明及び図示を省略するものとする。また、図１６に示すステップＳＴ８３〜ＳＴ８５、及びステップＳＴ８７，ＳＴ８８は、図８に示したステップＳＴ６８〜ＳＴ７０、及びステップＳＴ７１，ＳＴ７２と同様であるため、説明を省略する。
【０１２２】
まず、ステップＳＴ８０において提示部２１は、右折猶予時間が「０」となっているか否かを判断する（ＳＴ８０）。ここで、右折猶予時間が「０」となっていると判断した場合（ＳＴ８０：ＹＥＳ）、提示部２１は、右折猶予時間の表示消去、又は消去表示の継続を行う（ＳＴ８６）。その後、処理は終了して再度図６に示したステップＳＴ４０から実行されることとなる。
【０１２３】
一方、右折猶予時間が「０」となっていないと判断した場合（ＳＴ８０：ＮＯ）、提示部２１は、右折猶予時間を提示する（ＳＴ８１）。その後、提示部２１は、対向車位置が特定地点よりも遠いか否かを判断する（ＳＴ８２）。
【０１２４】
対向車位置が特定地点よりも遠くない場合（ＳＴ８２：ＮＯ）、提示部２１は、右折猶予時間の表示消去を行う（ＳＴ８６）。その後、処理は終了して再度図６に示したステップＳＴ４０から実行されることとなる。他方、対向車位置が特定地点よりも遠い場合（ＳＴ８２：ＹＥＳ）、提示部２１は、ステップＳＴ８３以降の処理が行われていく。
【０１２５】
このようにして、第４実施形態に係る運転支援装置１ｃによれば、第３実施形態と同様に、利便性及び運転支援性能の向上を図ることができ、右折可否判断を確実にすることできる。また、右折可能か否かを容易に判断することができ、適切な提示を行うことができる。また、右折猶予時間を正確に推定することができ、右折タイミングの最適化を図ることができる。
【０１２６】
さらに、第４実施形態によれば、終点を挟む自車両の反対側に設定された地点を、対向車が通過するまで、右折猶予時間を運転者に提示している。このため、右折猶予時間は終点を通過する前に提示されなくなる。すなわち、対向車が該地点を通過するときには、右折猶予時間が「０」でないにも関わらず、右折猶予時間の提示を中止し、右折ができることを運転者に提示することとなる。
【０１２７】
ところが、一般的に運転者は右折ができることを提示されても、右折可能であることを確認する。すなわち、右折可能であることが提示されても、運転者は即座に自車両を右折させるわけでなく、右折のために交差点を確認する傾向にある。従って、対向車が終点を通過するまえに右折猶予時間の提示を中止すれば、運転者に交差点確認の時間を与えることとなり、交差点確認を行って右折する際には、対向車が丁度交差点を通過するなど、右折タイミングの最適化を図ることができる。
【０１２８】
次に、本発明の第５実施形態について説明する。第５実施形態に係る運転支援装置１ｄは、第４実施形態のものと同様であるが、構成及び処理内容の一部が第４実施形態のものと異なっている。
【０１２９】
図１７は、第５実施形態に係る運転支援装置１ｄの構成図である。同図に示すように、本実施形態の運転支援装置１ｄは、第４実施形態の構成に加えて新たに歩行者検出部（歩行者検出手段）２２を備えている。
【０１３０】
歩行者検出部２２は、自車両が右折して横切ろうとする横断歩道を通行する歩行者（自車や三輪車などの乗り物に乗った人を含む。以下同じ。）を検出するものである。この歩行者検出部２２は、歩行者が携帯している携帯端末による無線通信によって、自車両が右折して横切ろうとする横断歩道を通行している歩行者及び通行しようとしている歩行者を検出する。すなわち、歩行者検出部２２は、無線通信によって歩行者の位置データをリアルタイムに取得することで、横断歩道を通行している歩行者及び通行しようとしている歩行者を検出する。また、歩行者検出部２２は、右折猶予時間推定部２０に接続され、検出した歩行者の情報を右折猶予時間推定部２０に送信する構成となっている。なお、歩行者検出部２２は、無線通信に限らず、自車両や交差点内に設置されたレーダによって、歩行者を検出する構成であってよい。
【０１３１】
右折猶予時間推定部２０は、歩行者検出部２２から歩行者の情報を取得すると、対向車走行状態検出部１８により検出された対向車の走行状態に加えて、歩行者の情報に基づいて、右折猶予時間を推定する。より具体的に、右折猶予時間推定部２０は、歩行者検出部２２により検出された歩行者が横断歩道を通行し終えるまでの時間と、対向車走行状態検出部１８により検出された対向車の走行状態によって自車両が右折可能となるまでの時間とのうち、長い方を右折猶予時間として推定する。これにより、右折猶予時間推定部２０は、右折猶予時間を一層正確に推定することとなる。
【０１３２】
図１８及び図１９は、第５実施形態に係る運転支援装置１ｄの動作を示すフローチャートである。なお、第５実施形態に係る運転支援装置１ｄは、第２実施形態に係る運転支援装置１ａが実行する動作の一部（図６の動作）と同じ動作を実行するため、同じ動作を実行する部分については、説明及び図示を省略するものとする。また、図１８に示すステップＳＴ９０〜ＳＴ１００は、図７に示すステップＳＴ５３〜ＳＴ６４と同様であるため、説明を省略する。また、図１９に示すステップＳＴ１０７〜ＳＴ１１５についても、図１６に示すステップＳＴ８０〜ＳＴ８８と同様であるため、説明を省略する。
【０１３３】
まず、図１８に示すように、右折猶予時間推定部２０は、右折猶予時間の推定対象を決定した後（ステップＳＴ９７の後、又はステップＳＴ１００の後）、推定対象となった対向車が終点を通過するまでの時間Ｔ２を推定する（ＳＴ１０１）。
【０１３４】
次いで、歩行者検出部２２は、横断歩道を通行している歩行者及び通行しようとしている歩行者を検出できたか否かを判断する（図１９：ＳＴ１０２）。ここで、歩行者を検出できないと判断した場合（ＳＴ１０２：ＮＯ）、処理はステップＳＴ１０５に移行する。他方、歩行者を検出できたと判断した場合（ＳＴ１０２：ＹＥＳ）、右折猶予時間推定部２０は歩行者が横断歩道を通過するまでの時間Ｔ３を推定する（ＳＴ１０３）。
【０１３５】
その後、右折猶予時間推定部２０は、歩行者検出部２２により検出された歩行者が横断歩道を通行し終えるまでの時間Ｔ３が、対向車走行状態検出部１８により検出された対向車の走行状態によって自車両が右折可能となるまでの時間Ｔ２よりも、長いか否かを判断する（ＳＴ１０４）。
【０１３６】
そして、時間Ｔ３が時間Ｔ２よりも長くないと判断した場合（ＳＴ１０４：ＮＯ）、右折猶予時間推定部２０は、右折猶予時間を時間Ｔ２と推定する（ＳＴ１０５）。そして、処理はステップＳＴ１０７に移行する。他方、時間Ｔ３が時間Ｔ２よりも長いと判断した場合（ＳＴ１０４：ＹＥＳ）、右折猶予時間推定部２０は、歩行者検出部２２により検出された歩行者が横断歩道を通行し終えるまでの時間Ｔ３を右折猶予時間として推定する（ＳＴ１０６）。そして、処理はステップＳＴ１０７に移行する。
【０１３７】
その後、ステップＳＴ１０７以降の処理が実行されていくこととなる。
【０１３８】
このようにして、第５実施形態に係る運転支援装置１ｄによれば、第４実施形態と同様に、利便性及び運転支援性能の向上を図ることができ、右折可否判断を確実にすることできる。また、右折可能か否かを容易に判断することができ、適切な提示を行うことができる。また、右折猶予時間を正確に推定することができ、右折タイミングの最適化を図ることができる。
【０１３９】
さらに、第５実施形態によれば、自車両が右折して横切ろうとする横断歩道を通行する歩行者を検出し、対向車の走行状態に加えて、検出された歩行者の情報に基づいて、右折猶予時間を推定する。具体的には、歩行者検出部２２により検出された歩行者が横断歩道を通行し終えるまでの時間Ｔ３と、対向車走行状態検出部１８により検出された対向車の走行状態によって自車両が右折可能となるまでの時間Ｔ２とのうち、長い方を右折猶予時間として推定する。
【０１４０】
このため、対向車のみならず、歩行者が横断歩道を渡りきって自車両が右折可能となる時間についても考慮のうえ、右折猶予時間が推定されることとなる。従って、右折猶予時間を一層正確に推定することができる。
【０１４１】
次に、本発明の第６実施形態について説明する。第６実施形態に係る運転支援装置１ｄは、第５実施形態のものと同様であるが、処理内容の一部が第５実施形態のものと異なっている。
【０１４２】
以下、第６実施形態に係る運転支援装置１ｅについて説明する。まず、第５実施形態に係る運転支援装置１ｄにおいて提示部２１は、右折猶予時間推定部２０により推定された右折猶予時間をそのまま提示していた。ところが、第６実施形態に係る運転支援装置１ｅでは、提示する右折猶予時間に上限と下限を設けている。そして、提示部２１は、右折猶予時間が上限値以上である場合に上限値を提示し、右折猶予時間が下限値以下である場合に下限値を提示することとしている。
【０１４３】
図２０は、第６実施形態に係る運転支援装置１ｅの概略説明図である。図２０（ａ）に示すように、提示部２１がクラスターＣ部分に設けられているとする。そして、右折猶予時間推定部２０が例えば右折猶予時間を「３０秒」と推定したとする。ここで、右折猶予時間の上限値が「２０秒」に設定されているとすると、提示部２１は、例えば図２０（ｂ）に示すように、「右折猶予時間あと２０秒以上（対向車接近中）」と提示することとなる。
【０１４４】
このように、第６実施形態では、上限値以上の時間は提示されなくなる。これにより、運転者は上限値以上の時間を要する複雑な行動を行い難くなる。従って、上限値以上の時間を要し運転に支障をきたす複雑な行動（例えば、携帯電話のメール操作など）を抑制することができる。
【０１４５】
その後、対向車が交差点に接近し、右折猶予時間推定部２０が例えば右折猶予時間を「１０秒」と推定したとする。このとき、提示部２１は、図２０（ｃ）に示すように、「右折猶予時間あと１０秒（対向車接近中）」と提示することとなる。
【０１４６】
そして、さらに対向車が交差点に接近し、右折猶予時間推定部２０が例えば右折猶予時間を「１秒」と推定したとする。ここで、右折猶予時間の下限値が「３秒」に設定されているとすると、提示部２１は、例えば図２０（ｄ）に示すように、「右折猶予時間あと３秒以下（対向車接近中）」と提示することとなる。
【０１４７】
ここで、運転者は下限値が提示されると、しばらくすると右折可能となることを知る。このため、運転者は現在行っている他の行動等を中止する傾向にある。すなわち、下限値を提示することで、右折行動の準備を促すことができる。
【０１４８】
その後、右折猶予時間推定部２０が右折猶予時間を「０」と推定したとすると、提示部２１は、例えば図２０（ｅ）に示すように、「安全確認を行って下さい。」と提示したり、表示を消去したりする。
【０１４９】
図２１及び図２２は、第６実施形態に係る運転支援装置１ｅの動作を示すフローチャートである。なお、第６実施形態に係る運転支援装置１ｅは、第５実施形態に係る運転支援装置１ｄが実行する動作の一部（図６及び図１８の動作）と同じ動作を実行するため、同じ動作を実行する部分については、説明及び図示を省略するものとする。また、図２１に示すステップＳＴ１２０〜ＳＴ１２４は、図１９に示すＳＴ１０２〜ＳＴ１０６と同様であるため、説明を省略する。また、図２１及び図２２に示すステップＳＴ１４１〜ＳＴ１４７は、図１９に示すステップＳＴ１０７〜ＳＴ１１５と同様であるため、説明を省略する。
【０１５０】
まず、図２１に示すように、右折猶予時間推定部２０は、対向車の走行状態によって自車両が右折可能となるまでの時間Ｔ２を、右折猶予時間として推定した後（ＳＴ１２３の後）、右折猶予時間の上限値Ｔ４を読み込む（ＳＴ１２５）。次いで、右折猶予時間推定部２０は、右折猶予時間の下限値Ｔ５を読み込む（ＳＴ１２６）。
【０１５１】
そして、右折猶予時間推定部２０は、時間Ｔ２が上限値Ｔ４以上か否かを判断する（ＳＴ１２７）。ここで、時間Ｔ２が上限値Ｔ４以上であると判断した場合（ＳＴ１２７：ＹＥＳ）、右折猶予時間推定部２０は、右折猶予時間を上限値Ｔ４とする（ＳＴ１２８）。その後、提示部２１は、上限値Ｔ４を提示する（ＳＴ１２９）。このように、提示部２１は、ステップＳＴ１２３により推定された右折猶予時間に代えて、上限値Ｔ４を提示することとなる。その後、処理は図２２のステップＳＴ１４１に移行して、ステップＳＴ１４１以降の処理が実行されていくこととなる。
【０１５２】
ところで、図２１に示すように、時間Ｔ２が上限値Ｔ４以上でないと判断した場合（ＳＴ１２７：ＮＯ）、右折猶予時間推定部２０は、時間Ｔ２が下限値Ｔ５以下か否かを判断する（ＳＴ１３０）。ここで、時間Ｔ２が下限値Ｔ５以下であると判断した場合（ＳＴ１３０：ＹＥＳ）、右折猶予時間推定部２０は、右折猶予時間を下限値Ｔ５とする（ＳＴ１３１）。その後、提示部２１は、下限値Ｔ５を提示する（ＳＴ１２９）。このように、提示部２１は、ステップＳＴ１２３により推定された右折猶予時間に代えて、下限値Ｔ５を提示することとなる。その後、処理は図２２のステップＳＴ１４１に移行して、ステップＳＴ１４１以降の処理が実行されていくこととなる。
【０１５３】
他方、図２１に示すように、時間Ｔ２が下限値Ｔ５以下でないと判断した場合（ＳＴ１３０：ＮＯ）、提示部２１は、ステップＳＴ１２３で推定された右折猶予時間が「０」となっているか否かを判断する（ＳＴ１３２）。ここで、右折猶予時間Ｔ２が「０」となっていると判断した場合（ＳＴ１３２：ＹＥＳ）、処理は図２２のステップＳＴ１４５に移行して、その後処理が終了することとなる。
【０１５４】
一方、右折猶予時間が「０」となっていないと判断した場合（ＳＴ１３２：ＮＯ）、提示部２１は、通常の通り、ステップＳＴ１２３にて推定さえた右折猶予時間を提示する（ＳＴ１２９）。その後、図２２のステップＳＴ１４１以降の処理が実行されていくこととなる。
【０１５５】
また、図２１に示すように、右折猶予時間推定部２０が時間Ｔ３を右折猶予時間として推定した後（ＳＴ１２４の後）、右折猶予時間の上限値Ｔ４を読み込む（ＳＴ１３３）。次いで、右折猶予時間推定部２０は、右折猶予時間の下限値Ｔ５を読み込む（ＳＴ１３４）。そして、ステップＳＴ１３５〜ＳＴ１４０の処理を実行する。なお、ステップＳＴ１３５〜ＳＴ１４０の処理は、上述のステップＳＴ１２７〜ＳＴ１３２の処理を同様であるため、説明を省略する。
【０１５６】
このようにして、第６実施形態に係る運転支援装置１ｅによれば、第５実施形態と同様に、利便性及び運転支援性能の向上を図ることができ、右折可否判断を確実にすることできる。また、右折可能か否かを容易に判断することができ、適切な提示を行うことができる。また、右折猶予時間を正確に推定することができ、右折タイミングの最適化を図ることができる。また、右折猶予時間を一層正確に推定することができる。
【０１５７】
さらに、第６実施形態によれば、推定された右折猶予時間が所定の上限値以上である場合、推定された右折猶予時間に代えて上限値を提示することとしている。このため、上限値以上の時間は提示されなくなる。これにより、運転者は上限値以上の時間を要する複雑な行動を行い難くなる。従って、上限値以上の時間を要し運転に支障をきたす複雑な行動（例えば、携帯電話のメール操作など）を抑制することができる。
【０１５８】
また、推定された右折猶予時間が所定の下限値以下である場合、右折猶予時間として下限値を提示することとしている。ここで、運転者は下限値が提示されると、しばらくすると右折可能となることを知る。このため、運転者は現在行っている他の行動等を中止する傾向にある。このように、下限値を提示することで、右折行動の準備を促すことができる。
【０１５９】
次に、本発明の第７実施形態について説明する。第７実施形態に係る運転支援装置１ｆは、第１実施形態のものと同様であるが、構成及び処理内容の一部が第１実施形態のものと異なっている。
【０１６０】
図２３は、第７実施形態に係る運転支援装置１ｆの構成図である。同図に示すように、本実施形態の運転支援装置１ｆは、第１実施形態の構成に加えて新たに、操作検出部（操作検出手段）２３、対向車行動意思推定部（対向車行動意思推定手段）２４、及び対向車状態判断部（対向車状態判断手段）２５を備えている。
【０１６１】
操作検出部２３は、対向車の運転者が周囲の車両に対して今後の車両の挙動を報せるために行う操作を検出するものである。具体的に操作検出部２３は、上記操作を、車車間無線通信により検出したり、交差点に設置されたレーダから検出したりする。また、操作検出部２３は、上記操作として、対向車の運転者によるウインカー、パッシング又はクラクション操作を検出する構成となっている。すなわち、操作検出部２３は、今後車両が右左折を行うことを知らせるウインカー操作や、自車両に進路を譲ることを知らせるパッシング操作などを検出することとなる。
【０１６２】
対向車行動意思推定部２４は、操作検出手段により検出された操作によって対向車の運転者による運転意思を推定するものである。すなわち、対向車行動意思推定部２４は、操作検出部２３により検出されたウインカー、パッシング又はクラクション操作に基づいて、対向車の運転者に右左折意思、停止意思、又は自車両に進路を譲る意思があることを推定する。
【０１６３】
対向車状態判断部２５は、対向車行動意思推定部２４より推定された運転意志と、対向車走行状態検出部１８より検出された対向車の走行状態とを比較して両者が一致するか否かを判断するものである。例えば、対向車状態判断部２５は、対向車行動意思推定部２４により対向車の運転者に右左折意思、停止意思、又は自車両に進路を譲る意思があることを推定したにも関わらず、対向車走行状態検出部１８により対向車が自車両側に接近し続けることを検出した場合に、両者が一致しないと判断する。
【０１６４】
すなわち、対向車の運転者に右左折の意思がある場合、運転者は右左折にあたり、車両を停止させたり停止に近い徐行状態としたりする。また、自車両に進路を譲る意思がある場合、運転者は、自車両に進路譲るために車両を停止させたり徐行状態としたりする。さらに、対向車の運転者に停止意思がある場合、運転者は車両を停止させる。このように、右左折意思、停止意思、又は自車両に進路を譲る意思がある場合、対向車の運転者は車両を停止させるか又は徐行状態とするといえる。従って、対向車状態判断部２５は、ウインカー、パッシング又はクラクション操作のいずれかが検出された場合に、車両が停止又は徐行状態とならないときには、両者が一致しないと判断できるといえる。
【０１６５】
また、本実施形態において提示部２１は、対向車状態判断部２５により両者が一致しないと判断された場合に、右折猶予時間を提示するのみならず、上記の両者が一致しない旨の情報を提示することとなる。
【０１６６】
図２４は、第７実施形態に係る運転支援装置１ｆの動作を示すフローチャートである。まず、第７実施形態に係る運転支援装置１ｆは、第１実施形態に係る運転支援装置１と同じ動作を実行する。さらに、第７実施形態に係る運転支援装置１ｆは、図４のステップＳＴ２８において対向車の存在が検出された場合、図２４に示す処理を実行する。
【０１６７】
すなわち、対向車の存在が検出された後、操作検出部２３は、対向車の運転者が周囲の車両に対して今後の車両の挙動を報せるために行う操作を検出する（ＳＴ１５０）。そして、対向車行動意思推定部２４は、ウインカー、パッシング又はクラクション操作が検出されたか否かを判断する（ＳＴ１５１）。
【０１６８】
ここで、ウインカー、パッシング又はクラクション操作のいずれもが検出されない場合（ＳＴ１５１：ＮＯ）、図２４に示す処理は終了する。他方、ウインカー、パッシング又はクラクション操作のいずれかが検出された場合（ＳＴ１５１：ＹＥＳ）、対向車行動意思推定部２４は、検出された操作に基づいて、対向車の運転者に右左折意思、停止意思、又は自車両に進路を譲る意思があることを推定する（ＳＴ１５２）。
【０１６９】
その後、対向車状態判断部２５は、対向車走行状態検出部１８より検出された対向車の走行状態の情報を入力し、対向車の停止予測を行う（ＳＴ１５３）。次いで、対向車状態判断部２５は、対向車が停止しようとしている、すなわち対向車が停止又は徐行状態となるか否かを判断する（ＳＴ１５４）。具体的には、対向車状態判断部２５は、対向車から対向車側の信号停止線までの距離を算出し、その距離に対して、対向車の現時点における減速度から、対向車が停止又は徐行状態となるか否かを判断する。
【０１７０】
そして、対向車が停止又は徐行状態となると判断した場合（ＳＴ１５４：ＹＥＳ）、対向車状態判断部２５は、推定された運転意志と対向車の走行状態とが一致すると判断する。そして、図２４に示す処理は終了する。
【０１７１】
他方、対向車が停止又は徐行状態とならないと判断した場合（ＳＴ１５４：ＮＯ）、対向車状態判断部２５は、推定された運転意志と対向車の走行状態とが一致しないと判断する（ＳＴ１５５）。具体的には図２５に示すような場合に、対向車状態判断部２５は推定された運転意志と対向車の走行状態とが一致しないと判断する。
【０１７２】
図２５は、第７実施形態に係る運転支援装置１ｆの動作の説明図である。例えば図２５（ａ）に示すように対向車の運転者が左ウインカーを操作した場合、対向車は左折すると推定されるが、対向車の走行状態からすると交差点を直進すると予測されるとき、対向車状態判断部２５は両者が一致しないと判断する。
【０１７３】
また、図２５（ｂ）に示すように対向車の運転者が右ウインカーを操作した場合、対向車は右折すると推定されるが、対向車の走行状態からすると交差点を直進すると予測されるとき、対向車状態判断部２５は両者が一致しないと判断する。
【０１７４】
さらに、図２５（ｃ）に示すように対向車の運転者がパッシング操作した場合、対向車は自車両に進路を譲るものと推定されるが、対向車の走行状態からすると交差点を直進すると予測されるとき、対向車状態判断部２５は両者が一致しないと判断する。
【０１７５】
再度、図２４を参照する。上記のように、推定された対向車の運転者の運転意志と対向車の走行状態とが一致しないと判断された場合、提示部２１は、一致しない旨の情報を提示する（ＳＴ１５６）。
【０１７６】
図２６は、提示部２１が一致しない旨の情報を提示する様子を示す説明図である。まず、図２６（ａ）に示すように、提示部２１は、クラスターＣ部分に設けられ、情報を表示することにより運転者に一致しない旨を提示するものとする。
【０１７７】
この場合、提示部２１は、例えば図２６（ｂ）〜（ｄ）に示すように「対向車が接近」、「右折出来ません」又は「対向車走行状態アンマッチ」と表示することにより、推定された対向車の運転者の運転意志と対向車の走行状態とが一致しない旨を表示する。
【０１７８】
再度、図２４を参照する。提示部２１は、一致しない旨の情報を提示した後（ＳＴ１５６の後）、対向車が交差点を通過したか否かを判断する（ＳＴ１５７）。対向車が交差点を通過していないと判断した場合（ＳＴ１５７：ＮＯ）、通過したと判断されるまでこの処理が繰り返される。
【０１７９】
一方、対向車が交差点を通過したと判断した場合（ＳＴ１５７：ＹＥＳ）、提示部２１は一致しない旨の提示を消去する（ＳＴ１５８）。その後、図２４に示す処理は終了する。
【０１８０】
このようにして、第７実施形態に係る運転支援装置１ｆによれば、第１実施形態と同様に、利便性及び運転支援性能の向上を図ることができ、右折可否判断を確実にすることできる。また、右折可能か否かを容易に判断することができ、適切な提示を行うことができる。
【０１８１】
さらに、第７実施形態によれば、対向車の運転者が周囲の車両に対して今後の車両の挙動を報せるために行う操作を検出している。すなわち、今後車両が右左折を行うことを知らせるウインカー操作や、自車両に進路を譲ることを知らせるパッシング操作などを検出することができる。
【０１８２】
そして、検出された操作によって対向車の運転者による運転意思を推定している。このため、ウインカー操作の検出により対向車の運転者に右左折の意思があるなどを推定できることとなる。
【０１８３】
次いで、推定された運転意志と、対向車の走行状態とを比較して両者が一致するか否かを判断している。このため、対向車がウインカーを出しているにもかかわらず、対向車の速度が速く減速しようとしていないとき、すなわち交差点を直進しようとしているときには、推定された運転意志と、対向車の走行状態とが一致しないと判断することとなる。
【０１８４】
そして、両者が一致しないと判断された場合に、一致しない旨の情報を提示している。このため、対向車がウインカーを出している場合、運転者は右折を開始してしまうことがあるが、不一致の提示により運転者の右折開始を防止することにつながる。従って、運転支援性能の更なる向上を図ることができる。
【０１８５】
次に、本発明の第８実施形態について説明する。第８実施形態に係る運転支援装置１ｇは、第７実施形態のものと同様であるが、構成及び処理内容の一部が第７実施形態のものと異なっている。
【０１８６】
図２７は、第８実施形態に係る運転支援装置１ｇの構成図である。同図に示すように、本実施形態の運転支援装置１ｇは、第７実施形態の構成に加えて新たに、信号状態判断部（信号状態判断手段）２６を備えている。
【０１８７】
信号状態判断部２６は、信号状態検出部１９により検出された信号の状態と、対向車走行状態検出部１８により検出された対向車の走行状態とを比較して両者が一致するか否かを判断するものである。具体的に信号状態判断部２６は、信号状態検出部１９により検出された信号の状態から、対向車の挙動を推定し、推定した挙動と、対向車走行状態検出部１８により検出された対向車の走行状態とが一致するか否かを判断する
例えば、信号状態判断部２６は、信号が「青」から「右折」表示に変化した場合、対向車の今後の挙動が停止又は右折となることを推定する。対向車の走行状態から対向車が交差点を直進しようとしている場合、信号状態判断部２６は、両者が一致しないと判断することとなる。そして、両者が一致しない場合、提示部２１はその旨の情報を提示する。
【０１８８】
図２８は、第８実施形態に係る運転支援装置１ｇの動作を示すフローチャートである。まず、第８実施形態に係る運転支援装置１ｇは、第１実施形態に係る運転支援装置１と同じ動作を実行する。さらに、第８実施形態に係る運転支援装置１ｇは、図４のステップＳＴ２８において対向車の存在が検出された場合、図２８に示す処理を実行する。
【０１８９】
すなわち、対向車の存在が検出された後、信号状態判断部２６は、対向車側の信号が「赤」、「右折」又は「左折」であるか否かを判断する（ＳＴ１６０）。ここで、対向車側の信号が「赤」、「右折」又は「左折」のいずれかであると判断した場合（ＳＴ１６０：ＹＥＳ）、信号状態判断部２６は、対向車が停止又は徐行すべきと推定する（ＳＴ１６１）。そして、処理はステップＳＴ１６５に移行する。
【０１９０】
また、対向車側の信号が「赤」、「右折」又は「左折」のいずれでもないと判断した場合（ＳＴ１６０：ＮＯ）、操作検出部２３は、対向車の運転者が周囲の車両に対して今後の車両の挙動を報せるために行う操作を検出する（ＳＴ１６２）。そして、図２４に示したステップＳＴ１５１，ＳＴ１５２と同様の処理が行われ（ＳＴ１６３，ＳＴ１６４）、処理はステップＳＴ１６５に移行する。
【０１９１】
ステップＳＴ１６５において、対向車状態判断部２５又は信号状態判断部２６は、対向車走行状態検出部１８より検出された対向車の走行状態の情報を入力し、対向車の停止予測を行う（ＳＴ１６５）。次いで、対向車状態判断部２５又は信号状態判断部２６は、対向車が停止しようとしている、すなわち対向車が停止又は徐行状態となるか否かを判断する（ＳＴ１６６）。そして、対向車が停止又は徐行状態となると判断した場合（ＳＴ１６６：ＹＥＳ）、対向車状態判断部２５又は信号状態判断部２６は、推定された運転意志と対向車の走行状態とが一致すると判断する。そして、図２８に示す処理は終了する。
【０１９２】
他方、対向車が停止又は徐行状態とならないと判断した場合（ＳＴ１６６：ＮＯ）、対向車状態判断部２５又は信号状態判断部２６は、推定内容と対向車の走行状態とが一致しないと判断する（ＳＴ１６７）。具体的には図２９に示すような場合に、信号状態判断部２６は推定内容と対向車の走行状態とが一致しないと判断する。
【０１９３】
図２９は、第８実施形態に係る運転支援装置１ｇの動作の説明図である。例えば図２９（ａ）に示すように対向車の信号が「赤」である場合、対向車が停止すると推定されるが、対向車の走行状態からすると交差点を直進すると予測されるとき、信号状態判断部２６は両者が一致しないと判断する。
【０１９４】
また、図２９（ｂ）に示すように対向車の信号が「右折」である場合、対向車は右折すると推定されるが、対向車の走行状態からすると交差点を直進すると予測されるとき、信号状態判断部２６は両者が一致しないと判断する。
【０１９５】
再度、図２９を参照する。上記のように、推定内容と対向車の走行状態とが一致しないと判断された場合、提示部２１は、一致しない旨の情報を提示する（ＳＴ１６８）。そして、図２４に示したステップＳＴ１５７，ＳＴ１５８と同様の処理が行われ（ＳＴ１６９，ＳＴ１７０）、図２８に示す処理は終了する。
【０１９６】
このようにして、第８実施形態に係る運転支援装置１ｇによれば、第７実施形態と同様に、利便性及び運転支援性能の向上を図ることができ、右折可否判断を確実にすることできる。また、右折可能か否かを容易に判断することができ、適切な提示を行うことができる。また、運転支援性能の更なる向上を図ることができる。
【０１９７】
さらに、第８実施形態によれば、交差点の信号の状態を検出している。このため、例えば対向車側の信号が「右折」を示していることなどを検出することができる。そして、検出した信号状態と、対向車の走行状態とを比較して両者が一致するか否かを判断している。このため、例えば対向車側の信号が「右折」を示しているにもかかわらず、対向車が交差点を直進しようとしているときには、両者が一致しないと判断することとなる。
【０１９８】
次いで、両者が一致しないと判断された場合に、一致しない旨の情報を提示している。このため、例えば対向車側の信号が「右折」を示す場合、運転者は右折を開始してしまうが、不一致の提示により運転者の右折開始を防止することができる。従って、運転支援性能の更なる向上を図ることができる。
【０１９９】
次に、本発明の第９実施形態について説明する。第９実施形態に係る運転支援装置１ｈは、第８実施形態のものと同様であるが、処理内容の一部が第８実施形態のものと異なっている。
【０２００】
以下、第９実施形態に係る運転支援装置１ｈについて説明する。まず、第８実施形態に係る運転支援装置１ｇは、操作検出部２３により操作が検出された対向車について、運転者の運転意思を推定し、この推定した運転意思と、その対向車の走行状態とを比較していた。ところが、第９実施形態に係る運転支援装置１ｈは、対向車が複数存在する場合において、対向車の運転者の運転意思を推定する一方、他の対向車の運転者についても運転意思を推定し、これら運転意思を比較して、一致するか否かを判断するようにしている。
【０２０１】
図３０は、第９実施形態に係る運転支援装置１ｈの概略説明図である。図３０（ａ）に示すように、第１の対向車Ａの運転者がパッシング操作をしたとする。このとき、対向車行動意思推定部２４は、パッシング操作をした第１の対向車Ａの運転者に、進路を譲る意思があると推定する。一方、第２の対向車Ｂの運転者はウインカー、パッシング又はクラクション操作のいずれもせず、交差点を直進しようとしているとする。このとき、対向車行動意思推定部２４は、第２の対向車Ｂの運転者に右左折意思、停止意思、又は進路を譲る意思のいずれもがないことを推定する。そして、対向車状態判断部２５は、第１及び第２の対向車Ａ，Ｂの運転者同士で運転意思が一致しないと判断する。これにより、提示部２１は、一致しない旨の情報を提示することとなる。
【０２０２】
このように、第１の対向車Ａの運転者は進路を譲ろうとしている。このため、第２の対向車Ｂの運転者は交差点を直進しようとしているにも関わらず、自車両の運転者は第１の対向車Ａからのパッシングにより右折行動を開始してしまう可能性がある。このため、提示部２１は、自車両の運転者が第１の対向車Ａからのパッシングにより右折行動を開始してしまうことがないように、一致しない旨を提示している。
【０２０３】
また、図３０（ｂ）に示すように、第１の対向車Ａの運転者がパッシング操作をしたとする。このとき、対向車行動意思推定部２４は、パッシング操作をした第１の対向車Ａの運転者に、進路を譲る意思があると推定する。さらに、第２の対向車Ｂの運転者についてもパッシング操作したとする。このとき、対向車行動意思推定部２４は、同様に進路を譲る意思があると推定する。従って、対向車状態判断部２５は、第１及び第２の対向車Ａ，Ｂの運転者同士で運転意思が一致すると判断し、提示部２１は一致しない旨の情報を提示しないこととなる。
【０２０４】
また、図３０（ｃ）に示すように、第１及び第２の対向車Ａ，Ｂの運転者が共にパッシング操作をしたとする。このとき、対向車行動意思推定部２４は、パッシング操作をした第１及び第２の対向車Ａ，Ｂの運転者双方に、進路を譲る意思があると推定する。ところが、第２の対向車Ｂの運転者は交差点を直進しようとしているとする。このとき、対向車状態判断部２５は、第１及び第２の対向車Ａ，Ｂの運転者同士で運転意思が一致する判断する。よって、提示部２１は、第１及び第２の対向車Ａ，Ｂの運転者双方の意思が一致しない旨の情報を提示することはない。しかし、第２の対向車Ｂについていえば、推定された運転意思と走行状態とが一致しておらず、第７及び第８実施形態に示したのと同様に、提示部２１は、推定された運転意思と走行状態とが一致しない旨を提示することとなる。
【０２０５】
以上のように、対向車状態判断部２５は、対向車走行状態検出部１８により第１及び第２の対向車Ａ，Ｂの存在が検出された場合に、対向車行動意思推定部２４により推定された運転意志が第１及び第２の対向車Ａ，Ｂの運転者同士で一致するか否かを判断する。そして、提示部２１は、第１及び第２の対向車Ａ，Ｂの運転者同士で運転意思が一致しない場合に、その旨の情報を提示することとなる。
【０２０６】
なお、対向車状態判断部２５は、双方の対向車の運転者が同一の操作した場合（すなわち、双方の対向車の運転者が共にパッシング操作をした場合など）に、運転者同士で運転意思が一致すると判断するが、これに限られず、以下の場合にも運転者同士で運転意思が一致すると判断する。例えば、一方の対向車の運転者によりパッシング操作がされ、他方の対向車の運転者によりウインカー操作がされた場合や、一方の対向車の運転者によりパッシング操作がされ、他方の対向車の運転者によりクラクション操作がされた場合や、一方の対向車の運転者によりウインカー操作がされ、他方の対向車の運転者によりクラクション操作された場合にも、運転者同士で運転意思が一致すると判断する。
【０２０７】
図３１及び図３２は、第９実施形態に係る運転支援装置１ｈの動作を示すフローチャートである。まず、第９実施形態に係る運転支援装置１ｈは、第１実施形態に係る運転支援装置１と同じ動作を実行する。さらに、第９実施形態に係る運転支援装置１ｈは、図４のステップＳＴ２８において対向車の存在が検出された場合、図３１及び図３２に示す処理を実行する。
【０２０８】
すなわち、対向車の存在が検出された後、信号状態判断部２６は、対向車側の信号が「赤」、「右折」又は「左折」であるか否かを判断する（ＳＴ１８０）。ここで、対向車側の信号が「赤」、「右折」又は「左折」のいずれかであると判断した場合（ＳＴ１８０：ＹＥＳ）、信号状態判断部２６は、対向車が停止又は徐行すべきと推定する（ＳＴ１８１）。そして、処理はステップＳＴ１９１に移行する。
【０２０９】
一方、対向車側の信号が「赤」、「右折」又は「左折」のいずれでもないと判断した場合（ＳＴ１８０：ＮＯ）、操作検出部２３は、対向車の運転者が周囲の車両に対して今後の車両の挙動を報せるために行う操作を検出する（ＳＴ１８２）。そして、図２４に示したステップＳＴ１５１，ＳＴ１５２と同様の処理が行われ（ＳＴ１８３，ＳＴ１８４）、対向車状態判断部２５は、他の対向車がいるか否かを判断する（ＳＴ１８５）。
【０２１０】
他の対向車がいないと判断した場合（ＳＴ１８５：ＮＯ）、処理はステップＳＴ１９１に移行する。一方、他の対向車がいると判断した場合（ＳＴ１８５：ＹＥＳ）、操作検出部２３は、他の対向車についてウインカー操作等を検出する（ＳＴ１８６）。
【０２１１】
その後、対向車行動意思推定部２４は、他の対向車について、ウインカー、パッシング又はクラクション操作が検出されたか否かを判断する（ＳＴ１８７）。ここで、ウインカー、パッシング又はクラクション操作のいずれもが検出されない場合（ＳＴ１８７：ＮＯ）、対向車状態判断部２５は、対向車と他の対向車との運転者の意思が一致しないと判断する（図３２：ＳＴ１９３）。そして、処理はステップＳＴ１９５に移行する。
【０２１２】
他方、図３１に示すように、他の対向車について、ウインカー、パッシング又はクラクション操作のいずれかが検出された場合（ＳＴ１８７：ＹＥＳ）、対向車行動意思推定部２４は、他の対向車の運転者に右左折意思、停止意思、又は自車両に進路を譲る意思があることを推定する（ＳＴ１８８）。
【０２１３】
その後、対向車状態判断部２５は、対向車走行状態検出部１８より検出された対向車の走行状態の情報を入力し、他の対向車について停止予測を行う（ＳＴ１８９）。次いで、対向車状態判断部２５は、他の対向車が停止しようとしている、すなわち他の対向車が停止又は徐行状態となるか否かを判断する（ＳＴ１９０）。そして、他の対向車が停止又は徐行状態となると判断した場合（ＳＴ１９０：ＹＥＳ）、処理はステップＳＴ１９２に移行する。
【０２１４】
他方、他の対向車が停止又は徐行状態とならないと判断した場合（ＳＴ１９０：ＮＯ）、対向車状態判断部２５は、推定内容と他の対向車の走行状態とが一致しないと判断する（図３２：ＳＴ１９４）。そして、処理はステップＳＴ１９５に移行する。
【０２１５】
ところで、図３１のステップＳＴ１９１において、対向車状態判断部２５又は信号状態判断部２６は、対向車の停止予測を行う（ＳＴ１９１）。次いで、対向車状態判断部２５又は信号状態判断部２６は、対向車が停止しようとしている、すなわち対向車が停止又は徐行状態となるか否かを判断する（ＳＴ１９２）。そして、対向車が停止又は徐行状態となると判断した場合（ＳＴ１９２：ＹＥＳ）、図２８に示す処理は終了する。
【０２１６】
他方、対向車が停止又は徐行状態とならないと判断した場合（ＳＴ１９２：ＮＯ）、対向車状態判断部２５は、推定内容と対向車の走行状態とが一致しないと判断する（ＳＴ１９４）。そして、処理はステップＳＴ１９５に移行する。
【０２１７】
ステップＳＴ１９５において、提示部２１は、自車両が右折を開始したか否かを判断する（ＳＴ１９５）。そして、自車両が右折を開始したと判断した場合（ＳＴ１９５：ＹＥＳ）、提示部２１は、一致しない旨の情報を提示する（ＳＴ１９６）。その後、処理はステップＳＴ１９７に移行する。一方、自車両が右折を開始していないと判断した場合（ＳＴ１９５：ＮＯ）、一致しない旨の情報は提示されることなく、処理はステップＳＴ１９７に移行する。
【０２１８】
次いで、提示部２１は、対向車が交差点を通過したか否かを判断する（ＳＴ１９７）。対向車が交差点を通過していないと判断した場合（ＳＴ１９７：ＮＯ）、通過したと判断されるまでこの処理が繰り返される。一方、対向車が交差点を通過したと判断した場合（ＳＴ１９７：ＹＥＳ）、提示部２１は一致しない旨の提示を消去する（ＳＴ１９８）。その後、図３１及び図３２に示す処理は終了する。
【０２１９】
このようにして、第９実施形態に係る運転支援装置１ｈによれば、第８実施形態と同様に、利便性及び運転支援性能の向上を図ることができ、右折可否判断を確実にすることできる。また、右折可能か否かを容易に判断することができ、適切な提示を行うことができる。また、運転支援性能の更なる向上を図ることができる。
【０２２０】
さらに、第９実施形態によれば、対向車走行状態検出部１８により第１及び第２の対向車Ａ，Ｂの存在が検出された場合に、対向車行動意思推定部２４により推定された運転意志が第１及び第２の対向車Ａ，Ｂの運転者同士で一致するか否かを判断する。そして、提示部２１は、第１及び第２の対向車Ａ，Ｂの運転者同士で運転意思が一致しない場合に、その旨の情報を提示している。このため、一方の対向車の運転者は右左折、停止、又は進路を譲ろうとしているが、他方の対向車の運転者が交差点を直進しようとしている場合には、一致しない旨を提示することになる。これにより、例えば自車両の運転者にとって、他方の対向車の直進に気づくことなく右折行動を開始してしまう可能性が減じられることとなる。従って、運転支援性能の更なる向上を図ることができる。
【０２２１】
また、自車両が右折行動を開始していると判断された場合においてのみ、一致しない旨の情報を提示することとしている。このため、運転者が右折行動を開始している時、すなわち運転者にとって情報提示が必要な時のみに一致しない旨の情報が提示されることとなる。従って、情報提示による煩わしさを減じることができる。
【０２２２】
次に、本発明の第１０実施形態について説明する。第１０実施形態に係る運転支援装置１ｉは、第１実施形態のものと同様であるが、処理内容の一部が第１実施形態のものと異なっている。
【０２２３】
以下、第１０実施形態に係る運転支援装置１ｉについて説明する。まず、第１実施形態に係る運転支援装置１は、右折猶予時間のみを提示することしていた。これに対し、第１０実施形態に係る運転支援装置１ｉは、右折猶予時間のみならず、誘導情報を提示することとしている。誘導情報とは、右折行動するにあたり運転者が確認すべき場所に視線が向くように誘導するための情報である。
【０２２４】
図３３は、誘導情報の一例を示す説明図である。まず、図３３（ａ）に示すように、提示部２１は、クラスターＣ部分に設けられ、この設置位置から画像表示にて運転者に情報提示するものとする。
【０２２５】
図３３（ｂ）に示すように、提示部２１は、確認すべき場所として歩行者、対向車及び信号機に、運転者の視線が向くように、例えば「歩行者チェック」、「対向車チェック」及び「信号機チェック」と表示する（表示例１）。また、提示部２１は、例えば歩行者や対向車や信号機を表した画像を表示したり（表示例２）、例えば歩行者や対向車や信号機に視線が向くように視線方向を表した画像を表示したりしてもよい（表示例３）。
【０２２６】
また、図３３（ａ）に示すように、提示部２１がヘッドアップディスプレイである場合、確認すべき場所に視線が向くように、矢印マークを表示するようにしてもよい。
【０２２７】
このように、本装置１ｉは、右折できるか否かの情報の提示のみならず、右折可能か否かを判断するために運転者自身が確認すべき場所を運転者に知らせて、その場所を視認させる構成となっている。従って、本装置１ｉは、交差点を右折するための確認動作を運転者に学習させることができる。
【０２２８】
図３４は、第１０実施形態に係る運転支援装置１ｉの動作を示すフローチャートである。まず、第１０実施形態に係る運転支援装置１ｉは、第１実施形態に係る運転支援装置１と同じ動作を実行する。さらに、第１０実施形態に係る運転支援装置１ｉは、例えば図４のステップＳＴ３０において右折猶予時間が推定された場合に、図３４に示す処理を実行する。
【０２２９】
まず、右折猶予時間推定部２０は、直近の対向車が自車位置に到達するまでの時間（以下、直近対向車通過時間という）を推定する（ＳＴ２００）。この直近対向車通過時間は、右折猶予時間と同様に対向車の位置、及び速度から推定される。
【０２３０】
そして、提示部２１は、右折猶予時間推定部２０により推定された直近対向車通過時間に応じて誘導情報を提示する（ＳＴ２０１）。そして、図３４に示す処理は終了する。
【０２３１】
以上のように、本実施形態では誘導情報を提示することとしている。次に、誘導情報の提示の様子を、図３５を参照してさらに説明する。図３５は、第１０実施形態に係る運転支援装置１ｉの概略説明図である。
【０２３２】
同図（ａ）に示すように、直近の対向車が交差点に極めて接近しているとする。この場合、自車両は、対向車の存在によって右折行動をとることができない。故に、右折猶予時間推定部２０は右折可能となるまでの時間である右折猶予時間を推定する。また、右折猶予時間を推定する一方で、右折猶予時間推定部２０は直近対向車通過時間を推定する。
【０２３３】
そして、提示部２１は、直近対向車通過時間が経過するまでに、運転者が確認すべき場所に視線が向くように誘導情報を提示する。すなわち、提示部２１は、歩行者、対向車及び信号機に視線が向くように提示する。このとき、提示部２１は、例えば信号機、対向車、及び歩行者の順に視線が向くように、順次「信号機チェック」、「対向車チェック」及び「歩行者チェック」と表示する。また、表示順はこれに限らず、他の順であってもよい。次いで、図３５（ｂ）に示すタイミングで、自車両が右折することとなる。
【０２３４】
このようにして、第１０実施形態に係る運転支援装置１ｉによれば、第１実施形態と同様に、利便性及び運転支援性能の向上を図ることができ、右折可否判断を確実にすることできる。また、右折可能か否かを容易に判断することができ、適切な提示を行うことができる。
【０２３５】
さらに、第１０実施形態によれば、右折行動するにあたり運転者が確認すべき場所に視線が向くように誘導する誘導情報を、直近対向車通過時間に応じて提示することとしている。このため、右折できるか否かの情報を運転者に知らせるのみならず、右折可能か否かを判断するために運転者自身が確認すべき場所を運転者に知らせて、その場所を視認させることとなる。従って、運転者に交差点を右折するための確認動作を学習させることができる。
【０２３６】
次に、本発明の第１１実施形態について説明する。第１１実施形態に係る運転支援装置１ｊは、第１０実施形態のものと同様であるが、構成及び処理内容の一部が第１０実施形態のものと異なっている。
【０２３７】
以下、第１１実施形態に係る運転支援装置１ｊについて説明する。まず、第１０実施形態に係る運転支援装置１ｉは、直近の対向車が交差点を通過するのにあわせて誘導情報を必ず提示することとしていた。ところが、第１１実施形態に係る運転支援装置１ｊは、所定の条件を満たすときのみに誘導情報を提示することとし、直近の対向車が交差点を通過するからといって、必ず誘導情報を提示するとは限らない構成となっている。
【０２３８】
図３６は、第１１実施形態に係る運転支援装置１ｊの構成図である。同図に示すように、第１１実施形態に係る運転支援装置１ｊは、第１実施形態の構成に加えて新たに、右折行動可能性予測部（右折行動可能性予測手段）２７を備えている。
【０２３９】
右折行動可能性予測部２７は、直近対向車通過時間が経過してから次の対向車が交差点に接近するまでの間に、自車両が交差点を右折することができるか否かを推定するものである。また、右折行動可能性予測部２７は、提示部２１に接続されており、右折できるか否かの情報を送信するようになっている。さらに、本実施形態において提示部２１は、右折行動可能性予測部２７によって、自車両が交差点を右折できると推定された場合のみに、誘導情報を提示する構成となっている。
【０２４０】
図３７は、第１１実施形態に係る運転支援装置１ｊの動作を示すフローチャートであり、図３８は、第１１実施形態に係る運転支援装置１ｊの概略説明図である。
【０２４１】
まず、第１１実施形態に係る運転支援装置１ｊは、第１実施形態に係る運転支援装置１と同じ動作を実行する。さらに、第１１実施形態に係る運転支援装置１ｊは、例えば図４のステップＳＴ３０において右折猶予時間が推定された後に、図３７に示す処理を実行する。
【０２４２】
右折猶予時間推定部２０は、直近対向車通過時間を推定する（ＳＴ２１０）。そして、対向車走行状態検出部１８は、直近対向車の次の対向車を検出する（ＳＴ２１１）。その後、右折行動可能性予測部２７は、次の対向車がいるか否かを判断する（ＳＴ２１２）。
【０２４３】
次の対向車がいないと判断した場合（ＳＴ２１２：ＮＯ）、右折行動可能性予測部２７は、直近対向車通過時間が経過してから次の対向車が交差点に接近するまでの間に、自車両が交差点を右折できると判断する。そして、提示部２１は、右折猶予時間推定部２０により推定された直近対向車通過時間に応じて誘導情報を提示する（ＳＴ２１５）。その後、図３７に示す処理は終了する。
【０２４４】
このように、右折行動可能性予測部２７は、自車両から最も近い対向車が交差点を通過した後に、対向車走行状態検出部１８により次の対向車の存在が確認できない場合、自車両が交差点を右折できると推定することとなる。
【０２４５】
他方、図３８（ａ）に示すように、次の対向車がいると判断した場合（ＳＴ２１２：ＹＥＳ）、右折行動可能性予測部２７は、図３８（ｂ）に示すように、直近対向車Ａが交差点を通過してから次の対向車が交差点に到達するまでの時間Ｔｎを推定する（ＳＴ２１３）。そして、提示部２１は、この時間Ｔｎが規定時間Ｔｘ以上か否かを判断する（ＳＴ２１４）。
【０２４６】
ここで、次の対向車が交差点に到達するまでの時間Ｔｎが規定時間Ｔｘ以上でないと判断した場合（ＳＴ２１４：ＮＯ）、右折行動可能性予測部２７は、直近対向車通過時間が経過後に、次の対向車の存在によって、自車両が交差点を右折できないと判断する。すなわち、時間Ｔｎが規定時間Ｔｘ以上でないことから、次の対向車が交差点近くに位置しているといえるため、右折行動可能性予測部２７は、自車両が交差点を右折できないと判断する。そして、提示部２１は、誘導情報を提示することなく（ＳＴ２１５）、図３７に示す処理は終了する。
【０２４７】
また、次の対向車が交差点に到達するまでの時間Ｔｎが規定時間Ｔｘ以上であると判断した場合（ＳＴ２１４：ＹＥＳ）、右折行動可能性予測部２７は、直近対向車通過時間が経過してから次の対向車が交差点に接近するまでの間に、自車両が交差点を右折できると判断する。そして、提示部２１は、右折猶予時間推定部２０により推定された直近対向車通過時間に応じて誘導情報を提示する（ＳＴ２１５）。その後、図３７に示す処理は終了する。
【０２４８】
以上のように、本実施形態では、直近対向車の通過後に、自車両が右折できるか否かを判断し、右折できないときには、誘導情報を提示することなく、処理を終了することとしている。すなわち、右折行動するにあたり運転者が確認すべき場所に視線を誘導したとしても、次の対向車の存在により右折できないときには、運転者の視線を誘導しないこととしている。従って、必要時にのみ誘導情報を提示することができる。
【０２４９】
ここで、第１１実施形態においては、以下の処理を実行するようにしてもよい。図３９は、第１１実施形態に係る運転支援装置１ｊの変形例についての動作を示すフローチャートである。なお、同図に示すステップＳＴ２２０〜ＳＴ２２３の処理は、図３７に示したステップＳＴ２１０〜ＳＴ２１３の処理と同様であるため、説明を省略する。
【０２５０】
変形例において、直近対向車が交差点を通過してから次の対向車が交差点に到達するまでの時間Ｔｎを推定した後（ＳＴ２２３の後）、提示部２１は、この時間Ｔｎが特定時間Ｔｙ以下か否かを判断する（ＳＴ２２４）。
【０２５１】
ここで、次の対向車が交差点に到達するまでの時間Ｔｎが特定時間Ｔｙ以上でないと判断した場合（ＳＴ２２４：ＮＯ）、提示部２１は、右折猶予時間推定部２０により推定された直近対向車通過時間に応じて誘導情報を提示する（ＳＴ２２６）。その後、図３９に示す処理は終了する。
【０２５２】
他方、次の対向車が交差点に到達するまでの時間Ｔｎが規定時間Ｔｙ以上であると判断した場合（ＳＴ２２４：ＹＥＳ）、提示部２１は、誘導情報を提示することなく（ＳＴ２２５）、図３９に示す処理は終了する。
【０２５３】
以上のように、変形例では、対向車が交差点からあまりに遠い段階で誘導情報を提示しても、必要以上に長い時間を掛けて歩行者等を確認することとなるため、対向車が交差点に或る程度接近するまで、誘導情報を提示しないこととしている。これにより、必要時にのみ誘導情報を提示することができる。
【０２５４】
このようにして、第１１実施形態に係る運転支援装置１ｊによれば、第１０実施形態と同様に、利便性及び運転支援性能の向上を図ることができ、右折可否判断を確実にすることできる。また、右折可能か否かを容易に判断することができ、適切な提示を行うことができる。また、運転者に交差点を右折するための確認動作を学習させることができる。
【０２５５】
さらに、第１１実施形態によれば、直近対向車通過時間が経過してから次の対向車が交差点に接近するまでの間に、自車両が右折行動を取れる可能性があるか否かを推定し、右折行動を取れる可能性があるときに、誘導情報を提示することとしている。具体的に右折行動可能性予測部２７は、自車両に最も近い対向車が交差点を通過してから、次の対向車が交差点に到達するまでの時間Ｔｎを求める。そして、右折行動可能性予測部２７は、時間Ｔｎが規定時間Ｔｘ以上であれば、自車両に最も近い対向車が交差点を通過した後に、自車両が交差点を右折できると推定する。また、右折行動可能性予測部２７は、対向車走行状態検出部１８により複数の対向車の存在が確認されない場合、自車両から最も近い対向車が交差点を通過した後に、自車両が交差点を右折できると推定する。
【０２５６】
このように、直近の対向車が交差点を通過しても右折できないような場合には、誘導情報を運転者に提示しないこととしている。従って、必要時にのみ誘導情報を提示することができる。
【０２５７】
次に、本発明の第１２実施形態について説明する。第１２実施形態に係る運転支援装置１ｋは、第１０実施形態のものと同様であるが、処理内容の一部が第１０実施形態のものと異なっている。
【０２５８】
以下、第１２実施形態に係る運転支援装置１ｋについて説明する。まず、第１０実施形態に係る運転支援装置１ｉは、単に誘導情報を提示することとしていた。これに対し、第１２実施形態係る運転支援装置１ｋは、誘導情報の提示方法について変更することとしている。
【０２５９】
まず、車両が右折するときの様子について説明する。図４０は、車両が右折するときの様子を示す説明図である。図４０に示すように、運転者は、まず対向車が交差点を通過するまえ（図４０に示すアテンション行動準備期間）に、予備的に車両周囲の情報（信号機、対向車及び歩行者などの情報）を確認する。
【０２６０】
そして、運転者は、直近の対向車Ａが通過した後（右折行動完了時間の最終確認行為の部分）において、自車両が次の対向車Ｂに影響を受けることなく、右折できるか否かを判断する。このとき、運転者は、最終確認として再度対向車、歩行者及び信号などを確認する。次いで、最終確認行為完了後の時間（右折開始から完了までの行動時間）において、運転者は右折を開始し、右折を終了させる。
【０２６１】
図４１は、図４０の詳細を示すグラフであって、（ａ）は右折開始から完了までの行動時間を示し、（ｂ）は運転者による最終確認行為に要する時間を示している。なお、図４１（ａ）及び（ｂ）において縦軸は度数を示し、横軸は時間を示している。また、図４１に示すグラフを得るにあたっては、右折を１１回行い、それぞれの右折行動について、最終確認行為に要する時間と、右折開始から完了までの行動時間とを測定することとした。
【０２６２】
まず、図４１（ａ）に示すように、右折開始から完了までの行動時間は、２．５秒以上３．０秒未満で、度数が「８」となり、バラツキが少なく、安定している。これに対し、図４１（ｂ）に示すように、最終確認行為に要する時間は、個人差や右折する交差点の状況に応じて影響を受けやすい。このため、度数は最大で「３」となっており、最終確認行為に要する時間は、０．５秒未満から３．５秒以上までバラツキが大きくなっている。
【０２６３】
従って、最終確認行為を行って右折が完了するまでの時間（図４０に示す右折行動完了時間）を短くするためには、運転者にスムーズな最終確認行為を行わせることが肝要となる。
【０２６４】
図４２は、第１２実施形態に係る運転支援装置１ｋの動作の説明図である。上記した如く、最終確認行為をスムーズに行わせることで交差点における右折はスムーズに行われる。ここで、本件出願人は、対向車が交差点を通過する時点で、運転者が対向車以外の情報、例えば歩行者側の情報を取得していない場合に、最終確認行為に多くの時間を要してしまうことを見出した。すなわち、本件出願人は、アテンション行動準備期間において、運転者が対向車以外の情報（歩行者側の情報など）を正確に確認していれば、右折行動をスムーズに行うことができることを見出した。
【０２６５】
そこで、第１２実施形態では、図４２に示すように、対向車が交差点を通過する一定時間前から、その対向車が交差点を通過するまで、運転者に対向車以外（特に歩行者）を視認されるように誘導情報を提示する。
【０２６６】
これにより、運転者は、スムーズな右折が行えるようになると共に、スムーズな右折をするための学習をも行うことができる。なお、上記一定時間は、個人差や運転環境によりバラツキがあるものの、約１秒とすると、効率よく最終確認行為に要する時間を減じることができる。
【０２６７】
図４３は、第１２実施形態に係る運転支援装置１ｋの動作を示すフローチャートである。まず、第１２実施形態に係る運転支援装置１ｋは、第１実施形態に係る運転支援装置１と同じ動作を実行する。さらに、第１２実施形態に係る運転支援装置１ｋは、例えば図４のステップＳＴ３０において右折猶予時間が推定された後に、図４３に示す処理を実行する。
【０２６８】
右折猶予時間推定部２０は、直近対向車通過時間を推定する（ＳＴ２３０）。次いで、提示部２１は、直近対向車通過時間が一定時間Ｔｒより大きいか否かを判断する（ＳＴ２３１）。そして、直近対向車通過時間が一定時間Ｔｒより大きいと判断した場合（ＳＴ２３１：ＹＥＳ）、処理はステップＳＴ２３０に戻る。すなわち、誘導情報を提示することなく、処理は最初に戻ることとなる。
【０２６９】
他方、直近対向車通過時間が一定時間Ｔｒより大きくないと判断した場合（ＳＴ２３１：ＮＯ）、すなわち、対向車が交差点を通過する一定時間前に達した場合、提示部２１は、対向車以外に視線が向くように誘導情報を提示する（ＳＴ２３２）。そして、図４３に示す処理は終了する。
【０２７０】
このようにして、第１２実施形態に係る運転支援装置１ｋによれば、第１０実施形態と同様に、利便性及び運転支援性能の向上を図ることができ、右折可否判断を確実にすることできる。また、右折可能か否かを容易に判断することができ、適切な提示を行うことができる。また、運転者に交差点を右折するための確認動作を学習させることができる。
【０２７１】
また、右折行動をスムーズに行うためには、対向車が通過するまえに運転者が対向車以外の歩行者などを確認していることが必要とされる。すなわち、対向車通過後に歩行者確認などをすると、スムーズな右折が阻害される。このため、第１２実施形態によれば、対向車が交差点を通過する一定時間前から、その対向車が交差点を通過するまで、運転者が対向車以外の確認すべき場所を視認するように誘導情報を提示することとしている。これにより、運転者は、対向車が通過するまえに対向車以外の歩行者などを確認することとなる。従って、スムーズな右折を行えるように、運転者に学習させることができる。
【０２７２】
次に、本発明の第１３実施形態について説明する。第１３実施形態に係る運転支援装置１ｌは、第１２実施形態のものと同様であるが、処理内容の一部が第１２実施形態のものと異なっている。
【０２７３】
以下、第１３実施形態に係る運転支援装置１ｌについて説明する。まず、第１３実施形態係る運転支援装置１ｌは、第１２実施形態に係る運転支援装置１ｋと比べて、誘導情報の提示方法が異なっている。
【０２７４】
図４４は、第１３実施形態に係る運転支援装置１ｌによる誘導情報の提示方法を示す説明図である。同図（ａ）に示すように、提示部２１がスピーカなどであるとする。この場合、提示部２１は、車室内に設けられた複数のスピーカ音をそれぞれ調節する。このとき、提示部２１は、車内の音の反射等を利用して音が強く聞こえてくる位置を車両前方方向とする。これにより、提示部２１は、車両前方方向に運転者の注意を引きつけるようにする。その後、提示部２１は、音が強く聞こえる位置を、車両右側方に移動させる。
【０２７５】
このように、音が強く聞こえる位置を調節して、運転者の視線を引きつけ、その後、音が強く聞こえる位置を移動させて、運転者の視線を自然とその移動方向に向けるようにしている。
【０２７６】
また、例えば図４４（ｂ）に示すように、提示部２１がウインカーの音源であるとする。この場合も同様に、提示部２１は、ウインカー音を調節して、運転者の注意を車両前方方向に引きつける。その後、提示部２１は、図４４（ｂ）に示すように、ウインカー音源を車両右側方に移動させる。
【０２７７】
このように、第１３実施形態に係る運転支援装置１ｌは、一度特定の方向に運転者の注意を引きつけ、その後、注意を引きつけた箇所を移動させることで、運転者の視線を自然と移動方向に向けるようにしている。
【０２７８】
図４５は、第１３実施形態に係る運転支援装置１ｌの動作を示すフローチャートである。まず、第１３実施形態に係る運転支援装置１ｌは、第１実施形態に係る運転支援装置１と同じ動作を実行する。さらに、第１３実施形態に係る運転支援装置１ｌは、例えば図４のステップＳＴ３０において右折猶予時間が推定された後に、図４５に示す処理を実行する。
【０２７９】
同図に示すように、右折猶予時間推定部２０は、直近対向車通過時間を推定する（ＳＴ２４０）。次いで、提示部２１は、直近対向車通過時間が特定時間Ｔｙ以下か否かを判断する（ＳＴ２４１）。
【０２８０】
ここで、直近対向車通過時間が特定時間Ｔｙ以上であると判断した場合（ＳＴ２４１：ＹＥＳ）、図３９のステップＳＴ２２４と同様に、提示部２１は、情報を提示することがタイミング的に早すぎると判断し、何ら提示することなく、処理はステップＳＴ２４０に戻る。
【０２８１】
他方、直近対向車通過時間が特定時間Ｔｙ以上でないと判断した場合（ＳＴ２４１：ＮＯ）、提示部２１は、情報を提示してもよいタイミングであると判断し、まず、対向車の方向に刺激情報を提示する（ＳＴ２４２）。これにより、提示部２１は、一度対向車の存在方向に運転者の注意を引きつける。
【０２８２】
次いで、直近対向車通過時間が一定時間Ｔｒより大きいか否かを判断する（ＳＴ２４３）。そして、直近対向車通過時間が一定時間Ｔｒより大きいと判断した場合（ＳＴ２４３：ＹＥＳ）、処理はステップＳＴ２３０に戻る。すなわち、刺激情報を移動させることなく、処理は最初に戻ることとなる。
【０２８３】
他方、直近対向車通過時間が一定時間Ｔｒより大きくないと判断した場合（ＳＴ２４３：ＮＯ）、すなわち、対向車が交差点を通過する一定時間前に達した場合、提示部２１は、対向車以外に視線が向くように刺激情報を移動させる（ＳＴ２４４）。そして、図４５に示す処理は終了する。
【０２８４】
以上のように、提示部２１は、運転者の注意を引きつける刺激情報を提示し、その刺激情報の提示箇所を移動させることで、誘導情報の提示としている。これにより、第１３実施形態に係る運転支援装置１ｌは、運転者の確認方向を自然と誘導し、効果的な誘導情報の提示を行うこととしている。
【０２８５】
このようにして、第１３実施形態に係る運転支援装置１ｌによれば、第１２実施形態と同様に、利便性及び運転支援性能の向上を図ることができ、右折可否判断を確実にすることできる。また、右折可能か否かを容易に判断することができ、適切な提示を行うことができる。また、運転者に交差点を右折するための確認動作を学習させることができ、スムーズな右折を行えるように、運転者に学習させることができる。
【０２８６】
さらに、第１３実施形態によれば、運転者の注意を引きつける刺激情報を提示し、刺激情報の提示箇所を移動させることで、誘導情報の提示としている。すなわち、刺激情報の提示により運転者の注意を引きつけて、その注意を引きつけた箇所を移動させていくことで、運転者の視認方向を自然に誘導できることとなる。従って、効果的な誘導情報の提示を行うことができる。
【０２８７】
次に、本発明の第１４実施形態について説明する。第１４実施形態に係る運転支援装置１ｍは、第１３実施形態のものと同様であるが、処理内容の一部が第１３実施形態のものと異なっている。
【０２８８】
図４６は、第１４実施形態に係る運転支援装置１ｍの構成図である。同図に示すように、本実施形態の運転支援装置１ｍは、第１３実施形態の構成に加えて新たに視線検出部（視線検出手段）２８と、視線推定部（視線推定手段）２９とを備えている
視線検出部２８は、刺激情報の提示箇所を移動させた後に、運転者の視線方向を検出するものである。この視線検出部２８は、例えば運転者の顔を撮像し、撮像画像から黒眼部分を抽出して、黒眼の位置等が示す方向（黒眼が眼全体のなかで右に寄っているときは右方向など）を視線方向として検出する構成となっている。また、視線検出部２８は、顔自体の向きから視線方向を検出したり、ハンドル操作から運転者がどちらを向いているかを推定して視線方向を検出したりする構成であってもよい。
【０２８９】
視線推定部２９は、視線検出部２８により検出された視線方向が、刺激情報の移動前の方向に戻っているか否かを推定するものである。すなわち、刺激情報の最初の提示箇所が対向車の方向である場合、刺激情報の移動後、運転者の視線方向が対向車の方向に戻っているか否かを判断することとなる。
【０２９０】
また、本実施形態において提示部２１は、視線推定部２９により運転者の視線方向が刺激情報の移動前の方向に戻っていないと判断された場合、運転者の視線方向を戻すように情報提示する構成となっている。ここで、運転者の視線方向を戻すには、刺激情報を元の位置に移動させる方法であってもよいし、単に視線を戻すように画像や音声で提示する方法であってもよい。
【０２９１】
これにより、本実施形態に係る運転支援装置１ｍは、必要以上に視線が滞留しないようにしている。そして、本実施形態に係る運転支援装置１ｍは、誘導情報を提示したことによって却って交差点確認に悪影響を及ぼすことがないようにしている。
【０２９２】
図４７は、運転者の視線方向を元に戻す処理を示すフローチャートである。なお、この処理は、図４５の処理の後に行われる。また、図４７に示すフローチャートにおいて、刺激情報は最初に対向車側へ注意を引きつけるように提示されていたものとする。
【０２９３】
まず、同図に示すように、視線推定部２９は、対向車側へ視線が戻っているか否かを判断する（ＳＴ２５０）。このとき、視線推定部２９は、視線検出部２８により推定された視線方向の情報を入力して判断することとなる。そして、対向車側へ視線が戻っていると判断した場合（ＳＴ２５０：ＹＥＳ）、既に視線方向は元に戻っていることから、何ら情報提示することなく、図４７に示す処理は終了する。
【０２９４】
他方、対向車側へ視線が戻っていないと判断した場合（ＳＴ２５０：ＮＯ）、提示部２１は、刺激情報を対向車以外に移動させてから現在に至るまでの時間が所定時間以上か否かを判断する（ＳＴ２５１）。ここで、所定時間以上でないと判断した場合（ＳＴ２５１：ＮＯ）、処理はステップＳＴ２５０に戻ることとなる。
【０２９５】
一方、刺激情報を対向車以外に移動させてから現在に至るまでの時間が所定時間以上であると判断した場合（ＳＴ２５１：ＹＥＳ）、提示部２１は、対向車側に視線方向を戻すように情報提示する（ＳＴ２５２）。その後、図４７に示す処理は終了することとなる。
【０２９６】
このようにして、第１４実施形態に係る運転支援装置１ｍによれば、第１３実施形態と同様に、利便性及び運転支援性能の向上を図ることができ、右折可否判断を確実にすることできる。また、右折可能か否かを容易に判断することができ、適切な提示を行うことができる。また、運転者に交差点を右折するための確認動作を学習させることができ、スムーズな右折を行えるように、運転者に学習させることができる。また、効果的な誘導情報の提示を行うことができる。
【０２９７】
さらに、第１４実施形態によれば、刺激情報の提示箇所を移動させた後に、運転者の視線方向を検出し、検出した視線方向が、刺激情報の移動前の方向に戻っているか否かを推定している。そして。運転者の視線方向が刺激情報の移動前の方向に戻っていないと判断された場合、運転者の視線方向を戻すように情報提示することとしている。すなわち、運転者の視線が対向車以外から戻っておらず、必要以上に対向車以外の箇所で滞留しないようにすることとしている。これにより、本装置１ｍは、誘導情報を提示したことによって却って交差点確認に悪影響を及ぼさないようにすることができる。
【０２９８】
以上、実施形態に基づき本発明を説明したが、本発明は上記実施形態に限られるものではなく、各実施形態を組み合わせてもよい。また、本発明の趣旨を逸脱しない範囲で、変更を加えてもよい。本発明の趣旨を逸脱しない範囲で、変更を加えてもよい。
【０２９９】
例えば、上記実施形態では、右折行動時にのみ限って説明したが、左折行動時、又は直進走行時についても同様に適用することができる。また、上記実施形態では、信号がある交差点を例に説明したが、信号のない交差点においても同様に適用することができる。
【図面の簡単な説明】
【０３００】
【図１】本発明の第１実施形態に係る運転支援装置の構成図である。
【図２】提示部２１の提示機能部の詳細を示す説明図であって、（ａ）は設置状態を示し、（ｂ）は第１の表示例を示し、（ｃ）は第２の表示例を示し、（ｄ）は第３の表示例を示している。
【図３】第１実施形態に係る運転支援装置１の動作を示すフローチャートであり、前半部分を示している。
【図４】第１実施形態に係る運転支援装置１の動作を示すフローチャートであり、後半部分を示している。
【図５】第１実施形態に係る運転支援装置１の動作の説明図である。
【図６】第２実施形態に係る運転支援装置１ａの動作を示すフローチャートであり、前半部分を示している。
【図７】第２実施形態に係る運転支援装置１ａの動作を示すフローチャートであり、中間部分を示している。
【図８】第２実施形態に係る運転支援装置１ａの動作を示すフローチャートであり、後半部分を示している。
【図９】図７に示した右折猶予時間の推定対象の決定についての説明図であり、（ａ）は第１の例を示し、（ｂ）は第２の例を示し、（ｃ）は第３の例を示し、（ｄ）は第４の例を示している。
【図１０】図７に示した右折猶予時間の推定対象の決定についての説明図であり、（ａ）は第５の例を示し、（ｂ）は第６の例を示し、（ｃ）は第７の例を示している。
【図１１】図７に示した右折猶予時間の推定対象の決定についての説明図であり、（ａ）は第８の例を示し、（ｂ）は第９の例を示し、（ｃ）は第１０の例を示している。
【図１２】図７に示した右折猶予時間の推定対象の決定についての説明図であり、（ａ）は第１１の例を示し、（ｂ）は第１２の例を示し、（ｃ）は第１３の例を示している。
【図１３】図７に示した右折猶予時間の推定対象の決定についての説明図であり、（ａ）は第１４の例を示し、（ｂ）は第１５の例を示し、（ｃ）は第１６の例を示している。
【図１４】第３実施形態に係る運転支援装置１ｂの概略説明図である。
【図１５】第４実施形態に係る運転支援装置１ｃの概略説明図であり、（ａ）は第１の例を示し、（ｂ）は第２の例を示し、（ｃ）は第３の例を示し、（ｄ）は第４の例を示している。
【図１６】第４実施形態に係る運転支援装置１ｃの動作を示すフローチャートである。
【図１７】第５実施形態に係る運転支援装置１ｄの構成図である。
【図１８】第５実施形態に係る運転支援装置１ｄの動作を示すフローチャートであり、中間部分を示している。
【図１９】第５実施形態に係る運転支援装置１ｄの動作を示すフローチャートであり、後半部分を示している。
【図２０】第６実施形態に係る運転支援装置１ｅの概略説明図であり、（ａ）は提示部２１の設置状態を示し、（ｂ）は第１の表示例を示し、（ｃ）は第２の表示例を示し、（ｄ）は第３の表示例を示し、（ｅ）は第４の表示例を示している。
【図２１】第６実施形態に係る運転支援装置１ｅの動作を示すフローチャートであり、中間部分を示している。
【図２２】第６実施形態に係る運転支援装置１ｅの動作を示すフローチャートであり、後半部分を示している。
【図２３】第７実施形態に係る運転支援装置１ｆの構成図である。
【図２４】第７実施形態に係る運転支援装置１ｆの動作を示すフローチャートである。
【図２５】第７実施形態に係る運転支援装置１ｆの動作の説明図であり、（ａ）は第１の例を示し、（ｂ）は第２の例を示し、（ｃ）は第３の例を示している。
【図２６】提示部２１が一致しない旨の情報を提示する様子を示す説明図であり、（ａ）は提示部２１の設置状態を示し、（ｂ）は第１の表示例を示し、（ｃ）は第２の表示例を示し、（ｄ）は第３の表示例を示している。
【図２７】第８実施形態に係る運転支援装置１ｇの構成図である。
【図２８】第８実施形態に係る運転支援装置１ｇの動作を示すフローチャートである。
【図２９】第８実施形態に係る運転支援装置１ｇの動作の説明図であり、（ａ）は第１の例を示し、（ｂ）は第２の例を示している。
【図３０】第９実施形態に係る運転支援装置１ｈの概略説明図であり、（ａ）は第１の例を示し、（ｂ）は第２の例を示し、（ｃ）は第３の例を示している。
【図３１】第９実施形態に係る運転支援装置１ｈの動作を示すフローチャートであり、前半部分を示している。
【図３２】第９実施形態に係る運転支援装置１ｈの動作を示すフローチャートであり、後半部分を示している。
【図３３】誘導情報の一例を示す説明図であり、（ａ）は提示部２１の設置位置及び第４の表示例を示し、（ｂ）は第１〜第３の表示例を示している。
【図３４】第１０実施形態に係る運転支援装置１ｉの動作を示すフローチャートである。
【図３５】第１０実施形態に係る運転支援装置１ｉの概略説明図であり、（ａ）は初期状態を示し、（ｂ）は時間経過後の状態を示している。
【図３６】第１１実施形態に係る運転支援装置１ｊの構成図である。
【図３７】第１１実施形態に係る運転支援装置１ｊの動作を示すフローチャートである。
【図３８】第１１実施形態に係る運転支援装置１ｊの概略説明図であり、（ａ）は初期状態を示し、（ｂ）は時間経過後の状態を示している。
【図３９】第１１実施形態に係る運転支援装置１ｊの変形例についての動作を示すフローチャートである。
【図４０】車両が右折するときの様子を示す説明図である。
【図４１】図４０の詳細を示すグラフであって、（ａ）は右折開始から完了までの行動時間を示し、（ｂ）は運転者による最終確認行為に要する時間を示している。
【図４２】第１２実施形態に係る運転支援装置１ｋの動作の説明図である。
【図４３】第１２実施形態に係る運転支援装置１ｋの動作を示すフローチャートである。
【図４４】第１３実施形態に係る運転支援装置１ｌによる誘導情報の提示方法を示す説明図であり、（ａ）は第１の提示例を示し、（ｂ）は第２の提示例を示している。
【図４５】第１３実施形態に係る運転支援装置１ｌの動作を示すフローチャートである。
【図４６】第１４実施形態に係る運転支援装置１ｍの構成図である。
【図４７】運転者の視線方向を元に戻す処理を示すフローチャートである。
【符号の説明】
【０３０１】
１，１ａ〜１ｍ…運転支援装置
１０…位置検出部（位置検出手段）
１１…記憶部（記憶手段）
１２…交差点接近検出部（交差点接近検出手段）
１３…読出部（読出手段）
１４…進入方向検出部（進入方向検出手段）
１５…右折可否判断部（右折可否判断手段）
１６…右折意思検出部（右折意思検出手段）
１７…自車状態検出部（自車状態検出手段）
１８…対向車走行状態検出部（対向車走行状態検出手段）
１９…信号状態検出部（信号状態検出手段）
２０…右折猶予時間推定部（右折猶予時間推定手段）
２１…提示部（提示手段）
２２…歩行者検出部（歩行者検出手段）
２３…操作検出部（操作検出手段）
２４…対向車行動意思推定部（対向車行動意思推定手段）
２５…対向車状態判断部（対向車状態判断手段）
２６…信号状態判断部（信号状態判断手段）
２７…右折行動可能性予測部（右折行動可能性予測手段）
２８…視線検出部（視線検出手段）
２９…視線推定部（視線推定手段）
【図１】
2006106955.tif 000003
【図２】
2006106955.tif 000004
【図３】
2006106955.tif 000005
【図４】
2006106955.tif 000006
【図５】
2006106955.tif 000007
【図６】
2006106955.tif 000008
【図７】
2006106955.tif 000009
【図８】
2006106955.tif 000010
【図９】
2006106955.tif 000011
【図１０】
2006106955.tif 000012
【図１１】
2006106955.tif 000013
【図１２】
2006106955.tif 000014
【図１３】
2006106955.tif 000015
【図１４】
2006106955.tif 000016
【図１５】
2006106955.tif 000017
【図１６】
2006106955.tif 000018
【図１７】
2006106955.tif 000019
【図１８】
2006106955.tif 000020
【図１９】
2006106955.tif 000021
【図２０】
2006106955.tif 000022
【図２１】
2006106955.tif 000023
【図２２】
2006106955.tif 000024
【図２３】
2006106955.tif 000025
【図２４】
2006106955.tif 000026
【図２５】
2006106955.tif 000027
【図２６】
2006106955.tif 000028
【図２７】
2006106955.tif 000029
【図２８】
2006106955.tif 000030
【図２９】
2006106955.tif 000031
【図３０】
2006106955.tif 000032
【図３１】
2006106955.tif 000033
【図３２】
2006106955.tif 000034
【図３３】
2006106955.tif 000035
【図３４】
2006106955.tif 000036
【図３５】
2006106955.tif 000037
【図３６】
2006106955.tif 000038
【図３７】
2006106955.tif 000039
【図３８】
2006106955.tif 000040
【図３９】
2006106955.tif 000041
【図４０】
2006106955.tif 000042
【図４１】
2006106955.tif 000043
【図４２】
2006106955.tif 000044
【図４３】
2006106955.tif 000045
【図４４】
2006106955.tif 000046
【図４５】
2006106955.tif 000047
【図４６】
2006106955.tif 000048
【図４７】
2006106955.tif 000049